(57)【特許請求の範囲】
【請求項１】
アダプターであって、電力変換ユニットと、サンプリング保持ユニットと、電流採取制御ユニットと、充電インターフェースとを備え、
前記電力変換ユニットが、入力された交流電流を変換し、出力電圧及び出力電流を取得して充電対象機器のバッテリを充電し、前記出力電流が第１脈動波形の電流であり、
前記サンプリング保持ユニットが前記電力変換ユニットに接続され、前記サンプリング保持ユニットがサンプリング状態にある場合に、前記サンプリング保持ユニットは、前記第１脈動波形の電流をサンプリングし、前記サンプリング保持ユニットが保持状態にある場合に、前記サンプリング保持ユニットは、前記第１脈動波形の電流のピーク値を保持し、
前記電流採取制御ユニットが前記サンプリング保持ユニットに接続され、前記電流採取制御ユニットは、前記サンプリング保持ユニットが保持状態にあるか否かを判断し、前記サンプリング保持ユニットが前記保持状態にあると判断した場合に、前記サンプリング保持ユニットによって保持された前記第１脈動波形の電流のピーク値を採取し、前記第１脈動波形の電流のピーク値に基づいて前記第１脈動波形の電流を調整し、
前記充電インターフェースにおけるデータケーブルを介して充電対象機器と二方向通信するアダプター。
【請求項２】
電圧調整ユニットをさらに備え、
前記電圧調整ユニットが前記電力変換ユニットに接続され、前記出力電圧を検出して調整し、
前記電流採取制御ユニットが前記電圧調整ユニットに接続され、前記電圧調整ユニットにより、前記第１脈動波形の電流のピーク値を調整する請求項１に記載のアダプター。
【請求項３】
前記電圧調整ユニットは、
前記電力変換ユニットに接続され、前記出力電圧をサンプリングして、第１電圧を取得する電圧サンプリングユニットと、
入力端が前記電圧サンプリングユニットに接続され、前記第１電圧と第１参考電圧とを比較する電圧比較ユニットと、
入力端が前記電圧比較ユニットの出力端に接続され、出力端が前記電力変換ユニットに接続され、前記第１電圧と前記第１参考電圧との比較結果に基づいて、前記出力電圧を制御する電圧制御ユニットとを備え、
前記電流採取制御ユニットが前記電圧比較ユニットに接続され、前記第１参考電圧の電圧値を調整することにより、前記第１脈動波形の電流のピーク値を調整する請求項２に記載のアダプター。
【請求項４】
前記電流採取制御ユニットは、具体的に、同期信号を受信し、該同期信号に基づいて前記サンプリング保持ユニットが前記保持状態にあるか否かを判断し、前記同期信号の周期は、前記第１脈動波形の周期の１／Ｎであり、Ｎが１以上の整数である請求項１から請求項３のいずれかに記載のアダプター。
【請求項５】
前記電流採取制御ユニットは、前記同期信号に基づいて前記第１脈動波形がピーク値又は立ち下がりエッジにあるか否かを判断し、前記第１脈動波形がピーク値又は立ち下がりエッジにあると判断した場合に、前記サンプリング保持ユニットによって保持された前記第１脈動波形の電流のピーク値を採取する請求項４に記載のアダプター。
【請求項６】
前記電流採取制御ユニットは、前記第１脈動波形の電流のピーク値を採取した後、前記保持状態からサンプリング状態に変換するように前記サンプリング保持ユニットを制御する請求項１から請求項５のいずれかに記載のアダプター。
【請求項７】
前記サンプリング保持ユニットは、電流サンプリングユニットと、電流保持ユニットとを備え、
前記電流サンプリングユニットは、前記電力変換ユニットに接続され、前記第１脈動波形の電流を検出して、サンプリング電流を取得し、前記サンプリング電流をサンプリング電圧に変換し、前記サンプリング電圧は、前記第１脈動波形の電流の大きさを示すためのものであり、
前記電流保持ユニットは、前記電流サンプリングユニット及び前記電流採取制御ユニットに接続され、前記電流サンプリングユニットから前記サンプリング電圧を受信し、前記サンプリング電圧に基づいて前記電流保持ユニットにおけるコンデンサを充電し、
前記電流採取制御ユニットは、前記サンプリング保持ユニットにおける前記コンデンサの両端の電圧を検出することにより、前記第１脈動波形の電流のピーク値を採取する請求項１から請求項６のいずれかに記載のアダプター。
【請求項８】
第１充電モード及び第２充電モードを有し、
該第２充電モードでの充電対象機器への充電速度が前記第１充電モードでの前記充電対象機器への充電速度より速く、前記第１脈動波形の電流が前記アダプターの前記第２充電モードでの出力電流であり、
前記充電対象機器と接続されているプロセスにおいて、前記充電対象機器と二方向通信して、前記第２充電モードでの出力を制御する制御ユニットを備える請求項１から請求項７のいずれかに記載のアダプター。
【請求項９】
前記制御ユニットが前記充電対象機器と二方向通信して、前記第２充電モードでの前記アダプターの出力を制御するプロセスは、前記制御ユニットが前記充電対象機器と二方向通信して、前記アダプターと前記充電対象機器との間の充電モードをネゴシエーションすることを含み、
前記制御ユニットが前記充電対象機器と二方向通信して、前記アダプターと前記充電対象機器との間の充電モードをネゴシエーションすることは、
前記制御ユニットが前記充電対象機器が前記第２充電モードをオンにするか否かを判定するための第１コマンドを前記充電対象機器に送信することと、
前記制御ユニットが、前記充電対象機器から送信された、前記充電対象機器が前記第２充電モードをオンにすることに同意するか否かを指示するための前記第１コマンドの返事コマンドを受信することと、
前記充電対象機器が前記第２充電モードをオンにすることに同意した場合に、前記制御ユニットが前記第２充電モードで前記充電対象機器を充電することとを含む請求項８に記載のアダプター。
【請求項１０】
前記制御ユニットが前記充電対象機器と二方向通信して、前記第２充電モードでの前記アダプターの出力を制御するプロセスは、
前記制御ユニットが前記充電対象機器と二方向通信して、前記第２充電モードでの前記アダプターから出力された前記充電対象機器を充電するための充電電圧を決定することと、
前記制御ユニットが前記出力電圧を調整して、前記出力電圧が、前記第２充電モードでの前記アダプターから出力された前記充電対象機器を充電するための充電電圧と等しくなるようにすることとを含む請求項８又は請求項９に記載のアダプター。
【請求項１１】
前記制御ユニットが前記充電対象機器と二方向通信して、前記第２充電モードでの出力を制御するプロセスは、
前記制御ユニットが前記充電対象機器と二方向通信して、前記第２充電モードでの出力された前記充電対象機器を充電するための充電電流を決定することと、
前記制御ユニットが前記第１脈動波形の電流のピーク値を調整して、前記第１脈動波形の電流のピーク値が、前記第２充電モードでの出力された前記充電対象機器を充電するための充電電流と等しくなるようにすることとを含む請求項８から請求項１０のいずれかに記載のアダプター。
【請求項１２】
前記制御ユニットが前記充電対象機器と二方向通信して、前記第２充電モードでの出力を制御するプロセスは、
前記第２充電モードで充電するプロセスにおいて、前記制御ユニットが前記充電対象機器と二方向通信して、前記第１脈動波形の電流のピーク値を調整することを含む請求項８から請求項１１のいずれかに記載のアダプター。
【請求項１３】
アダプターに適用される充電制御方法であって、
前記アダプターは、電力変換ユニットと、サンプリング保持ユニットとを備え、
前記電力変換ユニットは、入力された交流電流を変換して、前記アダプターの出力電圧及び出力電流を取得して充電対象機器のバッテリを充電し、前記出力電流が第１脈動波形の電流であり、
前記サンプリング保持ユニットは前記電力変換ユニットに接続され、前記サンプリング保持ユニットがサンプリング状態にある場合に、前記サンプリング保持ユニットは、前記第１脈動波形の電流をサンプリングし、前記サンプリング保持ユニットが保持状態にある場合に、前記サンプリング保持ユニットは、前記第１脈動波形の電流のピーク値を保持し、
前記サンプリング保持ユニットが前記保持状態にあるか否かを判断するステップと、
前記サンプリング保持ユニットが前記保持状態にあると判断された場合に、前記サンプリング保持ユニットによって保持された前記第１脈動波形の電流のピーク値を採取し、前記第１脈動波形の電流のピーク値に基づいて前記第１脈動波形の電流を調整するステップと、
充電インターフェースにおけるデータケーブルを介して充電対象機器と二方向通信するステップとを含む充電制御方法。
【請求項１４】
前記アダプターは、電圧調整ユニットをさらに備え、
前記電圧調整ユニットは前記電力変換ユニットに接続され、前記出力電圧を検出して調整し、
前記電圧調整ユニットにより、前記第１脈動波形の電流のピーク値を調整するステップをさらに含む請求項１３に記載の充電制御方法。
【請求項１５】
前記電圧調整ユニットは、
前記電力変換ユニットに接続され、前記出力電圧をサンプリングして、第１電圧を取得するための電圧サンプリングユニットと、
入力端が前記電圧サンプリングユニットに接続され、前記第１電圧と第１参考電圧とを比較するための電圧比較ユニットと、
入力端が前記電圧比較ユニットの出力端に接続され、出力端が前記電力変換ユニットに接続され、前記第１電圧と前記第１参考電圧との比較結果に基づいて、前記出力電圧を制御する電圧制御ユニットとを備え、
前記電圧調整ユニットにより、前記第１脈動波形の電流のピーク値を調整するステップは、
前記第１参考電圧の電圧値を調整することにより、前記第１脈動波形の電流のピーク値を調整するステップを含む請求項１４に記載の充電制御方法。
【請求項１６】
前記サンプリング保持ユニットが前記保持状態にあるか否かを判断するステップは、
周期が前記第１脈動波形の周期の１／Ｎである同期信号を受信するステップと、
前記同期信号に基づいて、前記サンプリング保持ユニットが前記保持状態にあるか否かを判断するステップとを含み、Ｎが１以上の整数である請求項１３から請求項１５のいずれかに記載の充電制御方法。
【請求項１７】
前記同期信号に基づいて、前記サンプリング保持ユニットが前記保持状態にあるか否かを判断するステップは、
前記同期信号に基づいて、前記第１脈動波形がピーク値又は立ち下がりエッジにあるか否かを判断するステップと、
前記第１脈動波形がピーク値又は立ち下がりエッジにあると判断された場合に、前記サンプリング保持ユニットが保持状態にあると決定するステップとを含む請求項１６に記載の充電制御方法。
【請求項１８】
前記第１脈動波形の電流のピーク値を採取した後、前記保持状態からサンプリング状態に変換されるように前記サンプリング保持ユニットを制御するステップをさらに含む請求項１３から請求項１７のいずれかに記載の充電制御方法。
【請求項１９】
前記サンプリング保持ユニットは、電流サンプリングユニットと、電流保持ユニットとを備え、
前記電流サンプリングユニットは、前記電力変換ユニットに接続され、前記第１脈動波形の電流を検出して、サンプリング電流を取得し、前記サンプリング電流をサンプリング電圧に変換し、前記サンプリング電圧は、第１脈動波形の電流の大きさを示すためのものであり、
前記電流保持ユニットは、前記電流サンプリングユニット及び前記電流採取制御ユニットに接続され、前記電流サンプリングユニットから前記サンプリング電圧を受信し、前記サンプリング電圧に基づいて前記電流保持ユニットにおけるコンデンサを充電し、
前記サンプリング保持ユニットによって保持された前記第１脈動波形の電流のピーク値を採取するステップは、
前記サンプリング保持ユニットにおける前記コンデンサの両端の電圧を採取することにより、前記第１脈動波形の電流のピーク値を取得するステップを含む請求項１３から請求項１８のいずれかに記載の充電制御方法。
【請求項２０】
前記アダプターは、第１充電モード及び第２充電モードを有し、
前記アダプターの前記第２充電モードでの前記充電対象機器への充電速度が前記アダプターの前記第１充電モードでの前記充電対象機器への充電速度より速く、前記第１脈動波形の電流が前記アダプターの前記第２充電モードでの出力電流であり、
前記アダプターが前記充電対象機器と接続されているプロセスにおいて、前記充電対象機器と二方向通信して、前記第２充電モードでの前記アダプターの出力を制御するステップをさらに含む請求項１３から請求項１９のいずれかに記載の充電制御方法。
【請求項２１】
前記充電対象機器と二方向通信して、前記第２充電モードでの前記アダプターの出力を制御するプロセスは、
前記充電対象機器と二方向通信して、前記アダプターと前記充電対象機器との間の充電モードをネゴシエーションするステップを含み、
前記充電対象機器と二方向通信して、前記アダプターと前記充電対象機器との間の充電モードをネゴシエーションするステップは、
前記充電対象機器が前記第２充電モードをオンにするか否かを判定するための第１コマンドを前記充電対象機器に送信するステップと、
前記充電対象機器から送信された、前記充電対象機器が前記第２充電モードをオンにすることに同意するか否かを指示するための前記第１コマンドの返事コマンドを受信するステップと、
前記充電対象機器が前記第２充電モードをオンにすることに同意した場合に、前記第２充電モードで前記充電対象機器を充電するステップとを含む請求項２０に記載の充電制御方法。
【請求項２２】
前記充電対象機器と二方向通信して、前記第２充電モードでの前記アダプターの出力を制御するプロセスは、
前記充電対象機器と二方向通信して、前記第２充電モードでの前記アダプターから出力された前記充電対象機器を充電するための充電電圧を決定するステップと、
前記アダプターの前記出力電圧を調整して、前記アダプターの前記出力電圧が、前記第２充電モードでの前記アダプターから出力された前記充電対象機器を充電するための充電電圧と等しくなるようにするステップとを含む請求項２０又は請求項２１に記載の充電制御方法。
【請求項２３】
前記充電対象機器と二方向通信して、前記第２充電モードでの前記アダプターの出力を制御するプロセスは、
前記充電対象機器と二方向通信して、前記第２充電モードでの前記アダプターから出力された前記充電対象機器を充電するための充電電流を決定するステップと、
前記第１脈動波形の電流のピーク値を調整して、前記第１脈動波形の電流のピーク値が、前記第２充電モードでの前記アダプターから出力された前記充電対象機器を充電するための充電電流と等しくなるようにするステップとを含む請求項２０から請求項２２のいずれかに記載の充電制御方法。
【請求項２４】
前記充電対象機器と二方向通信して、前記第２充電モードでの前記アダプターの出力を制御するプロセスは、
前記第２充電モードで充電するプロセスにおいて、前記充電対象機器と二方向通信して、前記第１脈動波形の電流のピーク値を調整するステップを含む請求項２０から請求項２３のいずれかに記載の充電制御方法。
【請求項２５】
前記充電対象機器と二方向通信して、前記第１脈動波形の電流のピーク値を調整するステップは、
前記充電対象機器のバッテリの現在の電圧を判定するための第４コマンドを前記充電対象機器に送信するステップと、
前記アダプターから送信された、前記バッテリの現在の電圧を指示するための前記第４コマンドの返事コマンドを受信するステップと、
前記バッテリの現在の電圧に基づいて、前記第１脈動波形の電流のピーク値を調整するステップとを含む請求項２４に記載の充電制御方法。
【発明の詳細な説明】
【技術分野】
【０００１】
本発明の実施例は充電分野に関し、より詳しくは、アダプター及び充電制御方法に関する。
【背景技術】
【０００２】
アダプターは、電源アダプターとも呼ばれ、充電対象機器（例えば端末）を充電するためのものである。現在市販されているアダプターは、通常に定電圧の方式で充電対象機器（例えば端末）を充電する。充電対象機器におけるバッテリは、一般的にリチウムバッテリであるため、定電圧の方式で充電対象機器を充電することによって、リチウム沈殿現象を容易に引き起こし、バッテリの寿命低下を招く。
【発明の概要】
【発明が解決しようとする課題】
【０００３】
本出願の実施例は、アダプター及び充電制御方法を提供して、バッテリのリチウム沈殿現象を低減し、バッテリの使用寿命を向上させる。
【０００４】
第１態様は、アダプターを提供する。アダプターは、電力変換ユニットと、サンプリング保持ユニットと、電流採取制御ユニットと、充電インターフェースとを備え、前記電力変換ユニットが、入力された交流を変換し、出力電圧及び出力電流を取得し、前記出力電流が第１脈動波形の電流であり、前記サンプリング保持ユニットが前記電力変換ユニットに接続され、前記サンプリング保持ユニットがサンプリング状態にある場合に、前記サンプリング保持ユニットは、前記第１脈動波形の電流をサンプリングし、前記サンプリング保持ユニットが保持状態にある場合に、前記サンプリング保持ユニットは、前記第１脈動波形の電流のピーク値を保持し、前記電流採取制御ユニットが前記サンプリング保持ユニットに接続され、前記サンプリング保持ユニットが保持状態にあるか否かを判断し、前記サンプリング保持ユニットが前記保持状態にあると判断した場合に、前記サンプリング保持ユニットによって保持された前記第１脈動波形の電流のピーク値を採取し、前記充電インターフェースにおけるデータケーブルを介して充電対象機器と二方向通信する。
【０００５】
第２態様は、アダプターに適用される充電制御方法を提供する。アダプターは、電力変換ユニットと、サンプリング保持ユニットとを備え、前記電力変換ユニットは、入力された交流電流を変換して、前記アダプターの出力電圧及び出力電流を取得し、前記出力電流が第１脈動波形の電流であり、前記サンプリング保持ユニットは、前記電力変換ユニットに接続され、前記サンプリング保持ユニットがサンプリング状態にある場合に、前記サンプリング保持ユニットは、前記第１脈動波形の電流をサンプリングし、前記サンプリング保持ユニットが保持状態にある場合に、前記サンプリング保持ユニットは、前記第１脈動波形の電流のピーク値を保持し、前記サンプリング保持ユニットが前記保持状態にあるか否かを判断するステップと、前記サンプリング保持ユニットが前記保持状態にあると判断された場合に、前記サンプリング保持ユニットによって保持された前記第１脈動波形の電流のピーク値を採取するステップと、充電インターフェースにおけるデータケーブルを介して充電対象機器と二方向通信するステップとを含む。
【０００６】
本発明の一実施形態に係るアダプターの出力電流は、脈動波形の電流（又は脈動直流電流と称する）であり、脈動波形の電流は、バッテリのリチウム沈殿現象を低減することができる。また、脈動波形の電流は、充電インターフェースの接点のアーク放電の確率及び強度を減らし、充電インターフェースの寿命を向上させることができる。
【図面の簡単な説明】
【０００７】
本発明の実施形態の明細書をより明確に説明するために、以下、本発明の実施形態において使用する必要のある図面を簡単に説明し、明らかに、以下に説明する図面はただ本発明の一部の実施例であり、当業者にとって、想像できる範囲内という前提で、これらの図面に基づいて、他の図面をさらに得ることができる。
【図１】本発明の一実施形態に係る第２アダプターの構成概略図である。
【図２Ａ】本発明の実施例の脈動波形の概略図である。
【図２Ｂ】本発明の実施例の脈動波形の概略図である。
【図３】本発明の他の一実施形態の第２アダプターの構成概略図である。
【図４】本発明の更なる他の一実施形態に係る第２アダプターの構成概略図である。
【図５】本発明の実施例の同期信号と第１脈動波形との位相関係の例図である。
【図６】本発明の更なる他の一実施形態に係る第２アダプターの構成概略図である。
【図７】本発明の更なる他の一実施形態に係る第２アダプターの構成概略図である。
【図８】本発明の更なる他の一実施形態に係る第２アダプターの構成概略図である。
【図９】本発明の実施例の同期信号の取得方式の例図である。
【図１０】本発明の一実施例の電流採取制御ユニットの構成概略図である。
【図１１】本発明の一実施例の参考電圧と、コンパレータの出力レベルと、第２アダプターの出力電流との波形関係概略図である。
【図１２】本発明のもう一実施例の参考電圧と、コンパレータの出力レベルと、第２アダプターの出力電流との波形関係概略図である。
【図１３】本発明のもう一実施例の電流採取制御ユニットの構成概略図である。
【図１４】本発明の更なる他の一実施形態に係る第２アダプターの構成概略図である。
【図１５】本発明の更なる他の一実施形態に係る第２アダプターの構成概略図である。
【図１６】本発明の更なる他の一実施形態に係る第２アダプターの構成概略図である。
【図１７】本発明の更なる他の一実施形態に係る第２アダプターの構成概略図である。
【図１８】本発明の更なる他の一実施形態に係る第２アダプターの構成概略図である。
【図１９Ａ】本発明の一実施形態に係る第２アダプターと充電対象機器との接続方式の概略図である。
【図１９Ｂ】本発明の実施例の急速充電通信プロセスの概略図である。
【図２０】本発明の更なる一実施形態に係る第２アダプターの構成概略図である。
【図２１】本発明の一実施形態に係る第２アダプターの回路構成概略図である。
【図２２】本発明のもう一実施形態に係る第２アダプターの回路構成概略図である。
【図２３】本発明の一実施形態に係る充電制御方法の概略フローチャートである。
【発明を実施するための形態】
【０００８】
以下、本発明の実施形態における図面に合わせて、本発明の実施形態における明細書について明確かつ完全な説明を行い、明らかに、説明される実施形態は、本発明の一部の実施例であり、すべての実施例ではない。本発明における実施例に基づいて、当業者が想像できる範囲内という前提で取得したすべての他の実施例は、本発明の保護範囲に属すべきである。
【０００９】
関連技術において、充電対象機器（例えば端末）を充電するための第１アダプターが言及された。該第１アダプターが定電圧モードで作動する。定電圧モードで、該第１アダプターの出力電圧は、基本的に、例えば５Ｖ、９Ｖ、１２Ｖ又は２０Ｖなどの一定に維持される。
【００１０】
該第１アダプターの出力電圧は、直接にバッテリの両端に印加されることに適さず、充電対象機器（例えば端末）内のバッテリの予期充電電圧及び／又は充電電流を取得するために先ず充電対象機器（例えば端末）内の変換回路によって変換する必要がある。
【００１１】
変換回路は、第１アダプターの出力電圧を変換して、バッテリの予期充電電圧及び／又は充電電流の需要を満たす。
【００１２】
一例として、該変換回路は、充電管理モジュール、例えば、充電集積回路（ｉｎｔｅｇｒａｔｅｄ  ｃｉｒｃｕｉｔ，ＩＣ）を指してもよく、バッテリの充電プロセスにおいて、バッテリの充電電圧及び／又は充電電流を管理する。該変換回路は、電圧フィードバックモジュールの機能、及び／又は電流フィードバックモジュールの機能を有することにより、バッテリの充電電圧及び／又は充電電流の管理を実現する。
【００１３】
一例を挙げると、バッテリの充電プロセスは、トリクル充電段階と、定電流充電段階と、定電圧充電段階とのうち少なくとも一つを含んでいてもよい。トリクル充電段階において、変換回路は、電流フィードバックループを利用して、トリクル充電段階でバッテリに流れ込む電流がバッテリの予期充電電流の大きさ（例えば第１充電電流）を満たすようにすることができる。定電流充電段階において、変換回路は電流フィードバックループを利用して、定電流充電段階でバッテリに流れ込む電流がバッテリの予期充電電流の大きさ（例えば第２充電電流、該第２充電電流は第１充電電流より大きくてもよい）を満たすようにすることができる。定電圧充電段階において、変換回路は電圧フィードバックループを利用して定電圧充電段階でバッテリの両端に印加される電圧がバッテリの予期充電電圧の大きさを満たすようにすることができる。
【００１４】
一例として、第１アダプターの出力電圧がバッテリの予期充電電圧より大きい場合に、変換回路は、第１アダプターの出力電圧を降圧処理して、降圧変換した後に得られた充電電圧がバッテリの予期充電電圧の需要を満たすことができる。もう一例として、第１アダプターの出力電圧がバッテリの予期充電電圧より小さい場合に、変換回路は、第１アダプターの出力電圧を昇圧処理して、昇圧変換した後に得られた充電電圧がバッテリの予期充電電圧の需要を満たすようにすることができる。
【００１５】
もう一例として、例えば、第１アダプターが５Ｖの定電圧を出力する。バッテリが一つのセル（例えばリチウムバッテリのバッテリセルを例とし、一つのバッテリセルの充電終止電圧が４．２Ｖである）を含む場合に、変換回路（例えば、Ｂｕｃｋ降圧回路）は、第１アダプターの出力電圧を降圧処理して、降圧した後に得られた充電電圧がバッテリの予期充電電圧の需要を満たすことができる。
【００１６】
もう一例として、例えば、第１アダプターが５Ｖの定電圧を出力する。第１アダプターが、二つ以上のシングルバッテリセルが直列接続されるバッテリ（リチウムバッテリのバッテリセルを例とし、一つのバッテリセルの充電終止電圧が４．２Ｖである）を充電する場合に、変換回路（例えばＢｏｏｓｔ昇圧回路）は、第１アダプターの出力電圧を昇圧処理して、昇圧処理した後に得られた充電電圧がバッテリの予期充電電圧の需要を満たすことができる。
【００１７】
変換回路が回路の変換効率の低下という原因に制限され、変換されていない部分の電気エネルギーが熱の形で散逸する。この部分の熱が充電対象機器（例えば端末）の内部に集まる。充電対象機器（例えば端末）の設計スペース及び放熱スペースが非常に小さいため（例えば、ユーザが使用する移動端末の物理的なサイズがますます薄くなるとともに、移動端末の性能を向上させるために、移動端末内に数多くの電子素子が密に配置されている）、変換回路の設計難易度を上げるだけでなく、充電対象機器（例えば端末）内に集まっている熱を迅速に除去しにくくなり、充電対象機器（例えば端末）の異常を引き起こす。
【００１８】
例えば、変換回路に集まっている熱は、変換回路の付近の電子素子に対して熱干渉を引き起こし、電子素子の作動異常の誘因となるおそれがある。また、例えば、変換回路に集まっている熱は、変換回路及び付近の電子素子の使用寿命を短縮するおそれがある。また、例えば、変換回路に集まっている熱は、バッテリに対して熱干渉を引き起こし、バッテリの充放電異常の誘因となるおそれがある。また、例えば、変換回路に集まっている熱は、充電対象機器（例えば端末）の温度上昇を引き起こすおそれがあり、充電時のユーザの使用体験に影響を及ぼす。また、例えば、変換回路に集まっている熱は、変換回路自身の短絡を引き起こすおそれがあり、第１アダプターの出力電圧を直接にバッテリの両端に印加することにより、充電異常を引き起こし、バッテリが長時間に過電圧充電状態であると、バッテリの爆発まで引き起こし、ユーザの安全に危険を与えることになる。
【００１９】
本発明の実施例は、出力電圧調節可能な第２アダプターを提供する。該第２アダプターは、バッテリの状態情報を取得することができる。バッテリの状態情報は、バッテリの現在の電気量情報及び／又は電圧情報を含むことができる。該第２アダプターは、取得されたバッテリの状態情報に基づいて第２アダプター自身の出力電圧を調節することにより、バッテリの予期充電電圧及び／又は充電電流の需要を満たすができる。さらに、バッテリの充電プロセスの定電流充電段階において、第２アダプターによって調節された後の出力電圧は、直接にバッテリの両端に印加してバッテリを充電することができる。
【００２０】
バッテリの充電電圧及び／又は充電電流の管理を実現するために、該第２アダプターは、電圧フィードバックモジュールの機能及び電流フィードバックモジュールの機能を有することができる。
【００２１】
該第２アダプターは、取得されたバッテリの状態情報に基づいて第２アダプター自身の出力電圧を調節することとは、バッテリの予期充電電圧及び／又は充電電流を満たすために、該第２アダプターが、バッテリの状態情報をリアルタイムに取得し、毎回取得されたバッテリのリアルタイム状態情報に基づいて第２アダプター自身の出力電圧を調節することができることを指してもよい。
【００２２】
該第２アダプターは、リアルタイムに取得されたバッテリの状態情報に基づいて第２アダプター自身の出力電圧を調節することとは、バッテリの予期充電電圧及び／又は充電電流の需要を満たすために、充電プロセスでのバッテリの電圧が絶えずに上昇するにつれて、第２アダプターが、充電プロセスでの異なる時刻のバッテリの現在の状態情報を取得し、バッテリの現在の状態情報に基づいて第２アダプター自身の出力電圧をリアルタイムに調節することができることを指してもよい。
【００２３】
例を挙げると、バッテリの充電プロセスは、トリクル充電段階と、定電流充電段階と、定電圧充電段階とのうち少なくとも一つを含んでもよい。トリクル充電段階において、第２アダプターは、電流フィードバックループを利用して、トリクル充電段階で第２アダプターから出力され且つバッテリに流れ込む電流がバッテリの予期充電電流の需要（例えば第１充電電流）を満たすようにすることができる。定電流充電段階において、第２アダプターは、電流フィードバックループを利用して、定電流充電段階で第２アダプターから出力され且つバッテリに流れ込む電流がバッテリの予期充電電流の需要（例えば第２充電電流、該第２充電電流が第１充電電流より大きくてもよい）を満たすようにすることができる。また、定電流充電段階において、第２アダプターは、出力された充電電圧を直接にバッテリの両端に印加してバッテリを充電することができる。定電圧充電段階において、第２アダプターは電圧フィードバックループを利用して、定電圧充電段階で第２アダプターから出力された電圧がバッテリの予期充電電圧の需要を満たすようにすることができる。
【００２４】
トリクル充電段階及び定電圧充電段階について、第２アダプターの出力電圧は、第１アダプターに類似する処理方式を採用してもよく、即ち、充電対象機器（例えば端末）内の変換回路によって変換されることにより、充電対象機器（例えば端末）内のバッテリの予期充電電圧及び／又は充電電流を取得する。
【００２５】
バッテリの充電プロセスの信頼性及び安全性を向上させるために、本発明の実施例で、脈動波形を有する電圧／電流を出力するように第２アダプターを制御する。以下、本発明の一実施形態の第２アダプターを図１を用いて詳しく説明する。
【００２６】
図１は、本発明の一実施形態に係る第２アダプターの構成概略図である。図１の第２アダプター１０は、電力変換ユニット１１と、サンプリング保持ユニット１２と、電流採取制御ユニット１３とを備える。
【００２７】
電力変換ユニット１１は、入力された交流電流を変換して第２アダプター１０の出力電圧及び出力電流を取得する。第２アダプター１０の出力電流は、第１脈動波形の電流である。
【００２８】
サンプリング保持ユニット１２は、電力変換ユニット１１に接続される。サンプリング保持ユニット１２がサンプリング状態にある場合に、サンプリング保持ユニット１２は、第１脈動波形の電流をサンプリングする。サンプリング保持ユニット１２が保持状態にある場合に、サンプリング保持ユニット１２は、第１脈動波形の電流のピーク値を保持（又はロック）する。
【００２９】
電流採取制御ユニット１３はサンプリング保持ユニット１２に接続される。電流採取制御ユニット１３は、サンプリング保持ユニット１２が保持状態にあるか否かを判断し、サンプリング保持ユニット１２が保持状態にあると判断した場合に、サンプリング保持ユニット１２によって保持された第１脈動波形の電流のピーク値を採取する。
【００３０】
本発明の実施例の第２アダプターの出力電流は、脈動波形の電流（又は脈動直流電流と称する）であり、脈動波形の電流は、バッテリのリチウム沈殿現象を低減することができる。また、脈動波形の電流は、充電インターフェースの接点のアーク放電の確率及び強度を減らし、充電インターフェースの寿命を向上させることができる。
【００３１】
第２アダプターは、一般的に、実際の状況に合わせて第２アダプターの出力電流を調整する。定電流モードをサポートする第２アダプターを一例として、第２アダプターは、一般的に、充電対象機器（例えば端末）のバッテリの電圧に基づいて第２アダプターの出力電流を絶えずに調節し、多段階式定電流の方式でバッテリを充電する。そのため、充電プロセスにおいて、第２アダプターの出力電流をリアルタイムに検出及び制御する必要がある。第２アダプターの出力電流の電流値が一定である場合に、第２アダプターの出力電流の検出及び制御が比較的容易に実現される。しかし、本発明の一実施形態においては、第２アダプターの出力電流は、第１脈動波形を有する電流であり、第１脈動波形の電流の大きさが変動しているため、第２アダプターの出力電流を検出及び制御する専用方式を設計する必要がある。
【００３２】
これに鑑み、本発明の一実施形態は、サンプリング保持ユニット１２及び電流採取制御ユニット１３を導入し、サンプリング保持ユニット１２及び電流採取制御ユニット１３により、第２アダプターの出力電流のピーク値を採取することができ、第２アダプターの出力電流に対する有効な制御を確保することができる。
【００３３】
上記に、第２アダプターの出力電流が、第１脈動波形の電流であることが指摘されている。本発明における脈動波形は、完全な脈動波形であってもよく、完全な脈動波形をピークカット処理した後に得られた脈動波形であってもよい。上記ピークカット処理とは、脈動波形におけるある閾値を超えた部分をフィルタリングして、脈動波形のピーク値を制御することを実現することを指してもよい。図２Ａに示す実施例において、脈動波形は、完全な脈動波形であり、図２Ｂに示す実施例において、脈動波形は、ピークカット処理を経た後の脈動波形である。
【００３４】
なお、本発明の一実施形態は、電力変換ユニット１１が交流電流を第１脈動波形の電流に変換する方式について具体的に限定しない。例えば、電力変換ユニット１１における１次フィルタユニット及び２次フィルタユニットを取り去って、第１脈動波形の電流を形成してもよい。このようにすることにより、第２アダプター１０が第１脈動波形の電流を出力するようにすることができるだけでなく、第２アダプター１０の体積を大幅に下げることもでき、第２アダプター１０の小型化に有利である。
【００３５】
本発明の一実施形態で使用される充電対象機器は、「通信端末」（又は「端末」と略する）であってもよく、有線回線を介して接続される（例えば、公衆交換電話網（ｐｕｂｌｉｃ  ｓｗｉｔｃｈｅｄ  ｔｅｌｅｐｈｏｎｅ  ｎｅｔｗｏｒｋ，ＰＳＴＮ）、デジタル加入者線（ｄｉｇｉｔａｌ  ｓｕｂｓｃｒｉｂｅｒ  ｌｉｎｅ，ＤＳＬ）、デジタルケーブル、直接ケーブル接続、及び／又は別のデータネットワークを介して接続される）及び／又は（例えば、セルラーネットワーク、無線ＬＡＮ（ｗｉｒｅｌｅｓｓ  ｌｏｃａｌ  ａｒｅａ  ｎｅｔｗｏｒｋ，ＷＬＡＮ）、例えば、デジタルビデオブロードキャスティングハンドヘルド（ｄｉｇｉｔａｌ  ｖｉｄｅｏ  ｂｒｏａｄｃａｓｔｉｎｇ  ｈａｎｄｈｅｌｄ，ＤＶＢ−Ｈ）ネットワークのデジタルテレビネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ，ＡＭ−ＦＭ）ラジオ送信機、及び／又は別の通信端末の）無線インターフェースを介して通信信号を受信、送信するように設置される装置を含むが、これらに限定されない。無線インターフェースを介して通信するように構成される通信端末は、「無線通信端末」、「無線端末」及び／又は「移動端末」と呼ばれてもよい。移動端末の一例として、衛星又はセルラー電話と、セルラー無線電話、データ処理、ファックス及びデータ通信機能を組み合わせることのできる個人通信システム（ｐｅｒｓｏｎａｌ  ｃｏｍｍｕｎｉｃａｔｉｏｎ  ｓｙｓｔｅｍ，ＰＣＳ）端末と、無線電話、ポケベル、インターネット／イントラネットへのアクセス、Ｗｅｂブラウザ、ノートブック、カレンダー及び／又は全地球測位システム（ｇｌｏｂａｌ  ｐｏｓｉｔｉｏｎｉｎｇ  ｓｙｓｔｅｍ，ＧＰＳ）受信機を含むことが可能であるパーソナルデジタルアシスタント(Ｐｅｒｓｏｎａｌ  Ｄｉｇｉｔａｌ  Ａｓｓｉｓｔａｎｔ，ＰＤＡ)と、通常のラップトップ型及び／又はパームトップ型受信機又は無線電話トランシーバーを含む他の電子装置とを含むが、これらに限定されない。
【００３６】
一部の実施例において、第２アダプター１０は、充電インターフェース（図１９Ａの充電インターフェース１９１を参照）を備えていてもよいが、本発明の一実施形態は、充電インターフェースのタイプについて具体的に限定せず、例えば、ユニバーサル・シリアル・バス（Ｕｎｉｖｅｒｓａｌ  Ｓｅｒｉａｌ  Ｂｕｓ，ＵＳＢ）インターフェースであってもよい。ＵＳＢインターフェースは、標準ＵＳＢインターフェースであってもよいし、ｍｉｃｒｏ  ＵＳＢインターフェースであってもよいし、Ｔｙｐｅ−Ｃインターフェースであってもよい。
【００３７】
本発明の一実施形態は、サンプリング保持ユニット１２の実現形態について、具体的に限定しない。一般的には、サンプリング保持ユニット１２は、コンデンサにより信号のサンプリング及び保持を実現することができる。以下、図３に合わせて、サンプリング保持ユニット１２の具体的な形式について詳しく説明する。
【００３８】
好ましくは、一部の実施例において、図３に示すように、サンプリング保持ユニット１２は、電流サンプリングユニット１４と、電流保持ユニット１５とを備えていてもよい。電流サンプリングユニット１４は電力変換ユニット１１に接続され、第１脈動波形の電流を検出し、サンプリング電流を取得し、サンプリング電流をサンプリング電圧に変換する。サンプリング電圧は、第１脈動波形の電流の大きさを示すためのものである。電流保持ユニット１５は、電流サンプリングユニット１４及び電流採取制御ユニット１３に接続される。電流保持ユニット１５は、電流サンプリングユニット１４からサンプリング電圧を受信し、サンプリング電圧に基づいて電流保持ユニット１５におけるコンデンサ（図３に図示せず）を充電する。電流採取制御ユニット１３は、電流採取制御ユニット１３におけるコンデンサの両端の電圧を採取することにより、第１脈動波形の電流のピーク値を取得する。
【００３９】
第１脈動波形が立ち上がりエッジにある場合に、電流保持ユニット１５におけるコンデンサの静電容量は、第１脈動波形の電流の電流値が上昇するにつれて上昇し、サンプリング保持ユニット１２は、サンプリング状態にある。第１脈動波形がピーク値又は立ち下がりエッジにある場合に、電流保持ユニット１５におけるコンデンサの両端の電圧は、そのまま変化せず、サンプリング保持ユニット１２は、保持状態にある。
【００４０】
本発明の実施例は、電流採取制御ユニット１３により、サンプリング保持ユニット１２によって保持された第１脈動波形の電流のピーク値を採取する。一部の実施例において、電流採取制御ユニット１３は、アナログデジタルコンバータ（Ａｎａｌｏｇ−ｔｏ−Ｄｉｇｉｔａｌ  Ｃｏｎｖｅｒｔｅｒ，ＡＤＣ）を備えていてもよい。電流採取制御ユニット１３は、ＡＤＣにより第１脈動波形の電流のピーク値を採取することができる。一部の実施例において、電流採取制御ユニット１３は、制御ユニットをさらに備えていてもよい。該制御ユニットは、例えば、マイクロコントローラユニット（Ｍｉｃｒｏｃｏｎｔｒｏｌｌｅｒ  Ｕｎｉｔ，ＭＣＵ）であってもよい。該制御ユニットは、ＡＤＣインターフェースを備え、該制御ユニットは、該ＡＤＣインターフェースを介してサンプリング保持ユニット１２におけるコンデンサに接続され、コンデンサの両端の電圧を採取することにより、第１脈動波形の電流のピーク値を採取することができる。
【００４１】
サンプリング保持ユニット１２がサンプリング状態に場合に、コンデンサの両端の電圧は、第１脈動波形の電流の電流値が増加するにつれて増加し、充電プロセスに相当する。サンプリング保持ユニット１２が保持状態にある場合に、コンデンサの両端の電圧は、最大値に達する。コンデンサの両端の電圧と第１脈動波形の電流値との対応関係をあらかじめ構築してもよい。このようにすると、電流採取制御ユニット１３は、コンデンサの両端の電圧値を採取することにより、第１脈動波形の電流のピーク値を知ることができる。
【００４２】
好ましくは、一部の実施例において、電流採取制御ユニット１３は、更に、第１脈動波形の電流のピーク値を採取した後、保持状態からサンプリング状態に変換するようにサンプリング保持ユニット１２を制御する。
【００４３】
具体的には、第１脈動波形の電流のピーク値は、リアルタイムに変化する可能性があるため、電流情報のリアルタイム性及び正確性を確保し、充電プロセスの全体が順調に行われることを確保するために、第１脈動波形の電流のピーク値を絶えずに検出する必要がある。これに基づいて、本発明の実施例が提供する電流採取制御ユニット１３は、第１脈動波形の電流のピーク値を採取した後、サンプリング状態に入るようにサンプリング保持ユニット１２を制御し、第１脈動波形の電流を再度にサンプリングし、第１脈動波形の電流ピーク値採取のリアルタイム性及び正確性を確保することができる。
【００４４】
さらに、一部の実施例において、電流採取制御ユニット１３は、第１脈動波形の周期ごと内に一回のピーク値の採取を完成することができ、該ピーク値を採取した後、保持状態からサンプリング状態に切り替えるように直ちにサンプリング保持ユニット１２を制御するこのようにすると、電流採取制御ユニット１３によって採取された第１脈動波形の電流のピーク値は、第１脈動波形の周期を単位にして、リアルタイムに更新され、第１脈動波形の電流ピーク値の採取のリアルタイム性及び正確性が確保される。
【００４５】
以上によると、第２アダプター１０の出力電流、即ち充電電流が第１脈動波形の電流である。該充電電流は、間欠な方式でバッテリを充電することができ、該充電電流の周期は、電力網の周波数に従って変化することができる。一部の実施例において、充電電流の周期に対応する周波数は、電力網の周波数の整数倍又は逆数倍であってもよい。言い換えると、充電電流は、間欠な方式でバッテリを充電することができる。一部の実施例において、充電電流は、電力網と同期する一つ又は一組のパルスから構成されてもよい。
【００４６】
なお、電流採取制御ユニット１３が保持状態からサンプリング状態に切り替えるようにサンプリング保持ユニット１２を制御する方式は複数あってもよい。例えば、電流サンプリングユニット１３は、放電するようにサンプリング保持ユニット１２におけるコンデンサを制御し、コンデンサの両端の電荷をクリアして、次のサンプリング周期が来る時に、サンプリング保持ユニット１２におけるコンデンサが再度に充電できるようにすることができる。
【００４７】
好ましくは、一部の実施例において、図４に示すように、サンプリング保持ユニット１２は、サンプリング保持ユニット１２におけるコンデンサ（図４に図示せず）により、第１脈動波形の電流のピーク値を保持する。電流採取制御ユニット１３は、放電ユニット１６と、制御ユニット１７とを備えていてもよい。放電ユニット１６は、それぞれ制御ユニット１７及びサンプリング保持ユニット１２におけるコンデンサに接続される。放電ユニット１６は、制御ユニット１７の制御で、サンプリング保持ユニット１２におけるコンデンサの両端の電荷を解放することにより、サンプリング保持ユニット１２が保持状態からサンプリング状態に変換されるようにする。さらに、サンプリング保持ユニット１２によって保持される第１脈動波形の電流のピーク値の採取は、制御ユニット１７によって完成することができる。
【００４８】
放電ユニット１６の実現方式は、複数あってもよい。例えば、放電ユニット１６は、サンプリング保持ユニット１２におけるコンデンサに直列接続されるスイッチと抵抗とを備えていてもよい。放電する必要がある場合に、制御ユニット１７は、導通にするようにスイッチを制御して、コンデンサを該抵抗に対して放電させ、コンデンサの両端の電荷が消耗される。
【００４９】
本発明の実施例は、電流採取制御ユニット１３が、サンプリング保持ユニット１２が保持状態にあるか否かを判断する方式について、具体的に限定しない。以下、具体的な実施例に合わせて詳しく説明する。
【００５０】
好ましくは、一部の実施例において、電流採取制御ユニット１３は、サンプリング保持ユニット１２によってサンプリングされた電流値をリアルタイムに検出することができ、二回連続で検出された電流値が同じままであれば、サンプリング保持ユニット１２が保持状態にあることを表している。
【００５１】
好ましくは、一部の実施例において、電流採取制御ユニット１３は、同期信号を受信し、同期信号に基づいてサンプリング保持ユニット１２が保持状態にあるか否かを判断する。同期信号の周期は、第１脈動波形の周期の１／Ｎであり、Ｎは１以上の整数である。
【００５２】
第１パルス形式の電流が周期的に変化するため、サンプリング保持ユニット１２のサンプリング状態から保持状態までの時間間隔は、第１脈動波形の電流の周期に関係がする（時間間隔は、第１脈動波形の電流の周期の１／２であってもよい）。これに基づいて、本発明の実施例は、第１脈動波形の周期と特定関係を有する同期信号（即ち同期信号の周期は、第１脈動波形の周期の１／Ｎである）を導入し、同期信号に基づいてサンプリング保持ユニット１２の作動状態を判断する。例えば、同期信号と第１脈動波形との周期及び／又は位相の関係を利用して、第１脈動波形がピーク値又は立ち下がりエッジにあるか否かを決定する。第１脈動波形がピーク値又は立ち下がりエッジにあると、サンプリング保持ユニット１２が保持状態にあると判断される。本発明において、第１脈動波形がピーク値又は立ち下がりエッジにあるか否かを決定することとは、第１脈動波形が第１脈動波形のピーク値又は立ち下がりエッジにあるか否かを決定することを指す。代替的には、上記第１脈動波形がピーク値又は立ち下がりエッジにあるか否かを決定することとは、第２アダプターの現在の出力電流が第１脈動波形のピーク値又は立ち下がりエッジにあるか否か、又は第２アダプターの現在の出力電流が第１脈動波形のピーク値又は立ち下がりエッジに対応する電流であるか否かを決定することを指す。
【００５３】
好ましくは、一つの実現方式として、第１脈動波形の周期と同期信号の周期とが同じである。さらに、一部の実施例において、第１脈動波形と同期信号とは位相が同じであってもよい。言い換えると、同期信号が立ち上がりエッジにある場合に、第１脈動波形は、立ち上がりエッジにあり、同期信号がピーク値又は立ち下がりエッジにある場合に、第１脈動波形は、ピーク値又は立ち下がりエッジにある。第１脈動波形がピーク値又は立ち下がりエッジにある場合に、サンプリング保持ユニット１２が保持状態にあるため、同期信号がいつピーク値又は立ち下がりエッジにあるかを判断できれば、サンプリング保持ユニット１２がいつ保持状態にあるかを判断することができる。別の一部の実施例において、第１脈動波形の位相と同期信号の位相との差が一定、例えば、差が９０度又は差が１８０度であってもよく。この場合において、同じく、両者間の周期と位相との関係に基づいて第１脈動波形がいつピーク値又は立ち下がりエッジにあるかを判断することができ、さらに、サンプリング保持ユニット１２がいつ保持状態にあるかを判断することができる。
【００５４】
同期信号の周期が第１脈動波形の周期の１／２、１／３、１／４などである場合に、同じく、同期信号と第１脈動波形との位相及び周期の関係に基づいてサンプリング保持ユニット１２の作動状態を判断することができる。例えば、図５に示すように、同期信号の波形は、実線で示され、第１脈動波形の波形は、破線で示される。同期信号の周期は、第１脈動波形の周期の１／２であり、同期信号がマイナスの半周期にある場合に、第１脈動波形は、ピーク値又は立ち下がりエッジにあり、サンプリング保持ユニット１２は、保持状態にある。そのため、同期信号の波形がいつマイナスの半周期にあるかを判断すれば、第１脈動波形がいつピーク値又は立ち下がりエッジにあるかを判断することができる。他の場合は類似するため、ここでは、枚挙しない。
【００５５】
また、同期信号は、脈動波形の同期信号であってもよく、三角波形の同期信号であってもよく、さらに、他のタイプの同期信号であってもよく、本発明の実施例は、これについて具体的に限定しない。
【００５６】
本発明の一実施形態においては、同期信号の取得方式について具体的に限定せず、以下、具体的な実施例に合わせて、同期信号の選択可能な取得方式を提供する。
【００５７】
好ましくは、一部の実施例において、電流採取制御ユニット１３は電力変換ユニット１１に接続され、電力変換ユニット１１から同期信号を取得する。
【００５８】
なお、電力変換ユニット１１から取得した同期信号は、電力変換ユニット１１が受信する交流信号、電力変換ユニット１１が１次整流後に取得した電流／電圧信号、電力変換ユニット１１の１次より２次に結合された電流／電圧信号、２次整流後の電流／電圧信号などであってもよい。本発明の実施例は、これについて具体的に限定しない。
【００５９】
好ましくは、一部の実施例において、図６に示すように、電力変換ユニット１１は、１次ユニット１８と、２次ユニット１９とを備えていてもよい。電流採取制御ユニット１３は２次ユニット１９に接続され、２次ユニット１９から同期信号を取得する。
【００６０】
なお、２次ユニット１９から同期信号を取得する方式は複数ある。例えば、直接に２次ユニット１９のバス（ＶＢＵＳ）から同期信号を取得する。具体的には、第２アダプター１０が出力するのは第１脈動波形の電流であり、第２アダプター１０の出力端が２次ユニット１９のバスに接続されるので、２次ユニット１９のバスにも第１脈動波形の電流を有することになり、直接に２次ユニット１９のバスから同期信号を取得することができる。
【００６１】
また、図７に示すように、２次ユニット１９は、第１整流ユニット２０を備えていてもよい。第１整流ユニット２０は電流採取制御ユニット１３に接続される。第１整流ユニット２０は、１次ユニット１８から２次ユニット１９に結合された電流を整流し、第２パルス形式の電圧を取得し、第２脈動波形の電圧を同期信号として電流採取制御ユニット１３に送信する。
【００６２】
２次ユニット１９自身は、２次整流ユニットを備える。該２次整流ユニットと上記第１整流ユニット２０とは、二つの独立した整流ユニットであってもよい。２次整流ユニットは、１次より２次に結合された電流を整流し、第２アダプターの出力電流を取得する。第１整流ユニットは、１次より２次に結合された電流を整流し、同期信号を取得する。図２１を参照すると、図２１における符号３９で示されるユニットは、２次整流ユニットである。該２次整流ユニット３９及び第１整流ユニット２０は、いずれも変圧器Ｔ１の２次巻線に近い側に位置してもよく、第２アダプターが１次より２次に結合された電流を整流する。
【００６３】
好ましくは、一部の実施例において、図８に示すように、電力変換ユニット１１は、１次ユニット１８と、２次ユニット１９とを備えていてもよい。電流採取制御ユニット１３は１次ユニット１８に接続され、１次ユニット１８から同期信号を取得する。
【００６４】
なお、１次ユニット１８から同期信号を取得する方式は複数ある。例えば、直接に１次ユニット１８から直接に交流信号を取得し、該交流信号を同期信号として電流採取制御ユニット１３に送信することができる。また、例えば、１次ユニット１８における整流回路によって整流された脈動直流信号を同期信号として、電流採取制御ユニット１３に送信することができる。
【００６５】
具体的には、図９に示すように、１次ユニット１８は交流電流ＡＣを整流し、第３脈動波形の電圧を取得する。第３脈動波形と第１パルスとは周期が同じである。１次ユニット１８は、光結合ユニット２１を介して、第３脈動波形の電圧を第２アダプター１０の１次より２次に結合して、第４脈動波形の電圧を取得し、第４脈動波形の電圧を同期信号として、電流採取制御ユニット１３に送信することができる。光結合ユニット２１は、１次と２次との間の相互干渉を隔離する作用を果たすことができる。代替方式として、１次ユニット１８は、光結合ユニット２１を介せずに、直接に第３脈動波形の電圧を電流採取制御ユニット１３に送信する。本発明の実施例は、これについて具体的に限定しない。
【００６６】
以上、具体的な実施例に合わせて電力変換ユニット１１から同期信号を取得する方式を詳しく説明したが、同期信号の取得方式は、これに限らず、以下、同期信号の他の取得方式を提供する。
【００６７】
好ましくは、一部の実施例において、電流採取制御ユニット１３は、サンプリング保持ユニット１２から同期信号を取得することができる。
【００６８】
具体的には、サンプリング保持ユニット１２は、第２アダプターの出力電流、即ち第１脈動波形の電流をサンプリングし、サンプリング電流を取得する。そうすると、サンプリング保持ユニット１２が取得したサンプリング電流、又はサンプリング電流に対応するサンプリング電圧などの信号は、いずれも第１脈動波形の電流の周期及び位相と同じである。該サンプリング電流又はサンプリング電圧を同期信号とすることは、サンプリング保持ユニット１２の作動状態を判断するロジックを簡素化することができる。
【００６９】
普通の場合に、サンプリング保持ユニット１２は、第１脈動波形の電流をサンプリングし、サンプリング電流を取得し、サンプリング電流をサンプリング電圧に変換する。該サンプリング電圧は、第１脈動波形の電流の大きさを示すことができる。サンプリング保持ユニット１２は、該サンプリング電圧を同期信号として、電流採取制御ユニット１３に送信することができる。例えば、図２１を参照すると、図２１の検流計の出力インターフェース（ＯＵＴＰＵＴ）から出力される電圧信号を同期信号とすることができる。
【００７０】
以上、主に説明するのは同期信号の取得方式である。以下、具体的な実施例に合わせて、同期信号に基づいて第１脈動波形がピーク値又は立ち下がりエッジにあるか否かを判断する方式を詳しく説明する。
【００７１】
好ましくは、一部の実施例において、電流採取制御ユニット１３は、同期信号に基づいて、第１脈動波形がピーク値又は立ち下がりエッジにあるか否かを判断し、第１脈動波形がピーク値又は立ち下がりエッジにあると判断した場合に、サンプリング保持ユニット１２によって保持される第１脈動波形の電流のピーク値を採取する。
【００７２】
具体的には、サンプリング保持ユニット１２は、コンデンサの充放電により、サンプリング状態と保持状態との間で切り替えることができる。第１脈動波形が立ち上がりエッジにある場合に、サンプリング保持ユニット１２におけるコンデンサが充電状態にあり、該コンデンサの両端の電圧は、第１脈動波形の電流が増大するにつれて増大し、この場合のサンプリング保持ユニット１２はサンプリング状態にある。第１脈動波形がピーク値又は立ち下がりエッジにある場合に、該コンデンサの両端の電圧は、これ以上増大せず、この場合のサンプリング保持ユニット１２は保持状態にある。そのため、第１脈動波形がいつピーク値又は立ち下がりエッジにあるかを判断することにより、サンプリング保持ユニット１２がいつ保持状態にあるかを判断することができる。同期信号の周期及び位相と、第１脈動波形の周期及び位相とが固定の関係を有するため、同期信号の周期及び／又は位相に基づいて、第１脈動波形がピーク値又は立ち下がりエッジにあるか否かを決定することができる。例えば、同期信号と第１脈動波形との位相が同じであり、同期信号がピーク値又は立ち下がりエッジにある場合に、第１脈動波形はピーク値又は立ち下がりエッジにある。また、例えば、同期信号と第１脈動波形との周期が同じであり、位相の差が半周期であり、同期信号が立ち上がりエッジにある場合に、第１脈動波形も、ピーク値又は立ち下がりエッジにある。
【００７３】
同期信号の位相の検出方式は、複数あってもよい。例えば、電流計又は電圧計により同期信号の電流又は電圧をリアルタイムに検出し、同期信号の位相を決定し、第１脈動波形がピーク値又は立ち下がりエッジにあるか否かを判断することが出来る。しかし、このような実現方式は、別途な電流電圧検出回路が必要であり、実現するのが複雑である。以下、２種類のコンパレータによる実現方式を提供し、同期信号の電圧と参考電圧とを比較することにより、第１脈動波形がピーク値又は立ち下がりエッジにあるか否かを便利に判断することができる。
【００７４】
好ましくは、一部の実施例において、図１０に示すように、電流採取制御ユニット１３は、コンパレータ２２及び制御ユニット２３を備えていてもよい。コンパレータ２２の第１入力端が、同期信号を受信し、コンパレータ２２の第２入力端が、参考電圧を受信する。制御ユニット２３はコンパレータ２２の出力端に接続され、同期信号の電圧と参考電圧との比較結果に基づいて、第１脈動波形がピーク値又は立ち下がりエッジにあるか否かを判断する。一部の実施例において、第１入力端は、コンパレータの同相入力端であり、第２入力端は、コンパレータの逆相入力端である。別の一部の実施例において、第１入力端は、コンパレータの逆相入力端であり、第２入力端は、コンパレータの同相入力端である。
【００７５】
なお、本発明の実施例は、参考電圧の電圧値の選択方式について具体的に限定せず、同期信号がゼロクロス点の脈動波形信号であることを例とし、参考電圧の電圧値を０より大きく、同期信号のピーク値より小さいある電圧値としてもよい。同期信号が交流信号であるのを例をとし、参考電圧の電圧値を０としてもよい。
【００７６】
また、本発明の実施例は、同期信号の電圧と参考電圧との比較結果に基づいて、第１脈動波形がピーク値又は立ち下がりエッジにあるか否かを判断する上記方式について具体的に限定せず、これは、同期信号の周期及び位相と、第１脈動波形の周期及び位相とに関係がある。以下、図１１及び図１２に合わせて、同期信号と第１脈動波形との周期が同じであることを一例とし、第１脈動波形のピーク値又は立ち下がりエッジの判断方式について例を挙げて説明する。図１１及び図１２の実施例において、電流採取制御ユニット１３は、第１脈動波形の周期毎にサンプリング保持ユニットによって保持された第１脈動波形の電流のピーク値を採取する。採取完了した後、電流採取制御ユニット１３は、直ちに放電ユニットにおけるＭＯＳトランジスタに制御電圧を供給し、導通するように放電ユニットにおけるＭＯＳトランジスタを制御し、サンプリング保持ユニット１２におけるコンデンサの両端の電荷を解放する。ただし、図１１及び図１２は、例示的な説明に過ぎず、本発明の一実施形態は、これに限られない。例えば、電流採取制御ユニット１３は、複数の周期おきに１回の第１脈動波形の電流のピーク値を採取してもよい。また、放電ユニットは、ＭＯＳトランジスタ以外の他の実現方式、例えば、他のタイプのスイッチ素子を用いて放電ユニットの導通及び遮断を実現してもよい。
【００７７】
図１１の実施例において、同期信号と第１脈動波形（第１脈動波形は、ピークカット処理された後の脈動波形である）との位相が同じである。図１１によると、同期信号と第１脈動波形との位相が同じであるため、同期信号がピーク値又は立ち下がりエッジにある場合に、第１脈動波形もピーク値又は立ち下がりエッジにある。そのため、同期信号がいつ同期信号の波形のピーク値又は立ち下がりエッジにあるかを判断できれば、第１脈動波形がいつピーク値又は立ち下がりエッジにあるかを知ることができる。
【００７８】
さらに、同期信号がいつピーク値又は立ち下がりエッジにあるかを判断するために、図１１の実施例でコンパレータが導入されている。該コンパレータは、同期信号と参考電圧との電圧値を比較することにより、コンパレータの出力レベルの変化曲線、即ち、図１１に示す矩形波を取得する。該矩形波によると、コンパレータの出力レベルが高レベルから低レベルに変換した時点（以下、目標時点と称する）で、第１脈動波形が立ち下がりエッジにある。この場合、サンプリング保持ユニット１２におけるコンデンサは、保持状態にある。そのため、本発明の実施例は、目標時点をピーク値のサンプリング時点とし、サンプリング保持ユニット１２におけるコンデンサの両端の電圧を採取するように電流採取制御ユニット１３を制御し、第１脈動波形の電流のピーク値を取得し、第１脈動波形の電流のピーク値を採取した後、直ちに導通するように放電ユニットにおけるＭＯＳトランジスタを制御し、サンプリング保持ユニット１２におけるコンデンサの両端の電荷を解放して、次の周期の採取のために準備をする。
【００７９】
図１２の実施例において、同期信号と第１脈動波形との位相差が１８０°であり、かつ、第１脈動波形は、ピークカット処理された後の脈動波形である。図１２によると、同期信号と第１脈動波形との位相差が１８０°であるため、同期信号がピーク値又は立ち上がりエッジにある場合に、第１脈動波形はピーク値又は立ち下がりエッジにある。そのため、同期信号がいつピーク値又は立ち上がりエッジにあるかを判断できれば、第１脈動波形がいつピーク値又は立ち下がりエッジにあるかを知ることができる。
【００８０】
さらに、同期信号がいつピーク値又は立ち上がりエッジにあるかを判断するために、図１２の実施例でコンパレータが導入されている。該コンパレータは、同期信号と参考電圧との電圧値を比較することにより、コンパレータの出力レベルの変化曲線、即ち、図１２に示すような矩形波を取得する。該矩形波によると、コンパレータの出力レベルが低レベルから高レベルに変換した時点（以下、目標時点と称する）で、第１脈動波形が立ち下がりエッジにある。この場合、サンプリング保持ユニット１２におけるコンデンサは保持状態にある。そのため、本発明の実施例は、目標時点をピーク値のサンプリング時点とし、サンプリング保持ユニット１２におけるコンデンサの両端の電圧を採取するように電流採取制御ユニット１３を制御し、第１脈動波形の電流のピーク値を取得し、第１脈動波形の電流のピーク値を採取した後、直ちに導通するように放電ユニットにおけるＭＯＳトランジスタを制御し、サンプリング保持ユニット１２におけるコンデンサの両端の電荷を解放し、次の周期の採取のために準備をする。
【００８１】
好ましくは、別の一部の実施例において、図１３に示すように、電流採取制御ユニット１３は、比較ユニット２４と、制御ユニット２５とを備えていてもよい。比較ユニット２４は、コンデンサ２６及びコンパレータ２７を備えていてもよい。コンデンサ２６は、同期信号を受信し、同期信号における直流信号をフィルタリングし、ゼロクロス点の交流信号を取得する。コンパレータ２７の第１入力端がコンデンサ２６に接続され、交流信号を受信する。コンパレータ２７の第２入力端は、参考電圧を受信する。コンパレータ２７は、交流信号の電圧と参考電圧とを比較する。制御ユニット２５はコンパレータ２７の出力端に接続され、交流信号の電圧と参考電圧との比較結果に基づいて、第１脈動波形がピーク値又は立ち下がりエッジにあるか否かを判断する。さらに、本発明の実施例において、参考電圧の電圧値は、０として設定することができる。一部の実施例において、第１入力端は、コンパレータの同相入力端であり、第２入力端は、コンパレータの逆相入力端である。別の一部の実施例において、第１入力端は、コンパレータの逆相入力端であり、第２入力端は、コンパレータの同相入力端である。
【００８２】
同期信号が脈動波形信号であることを例とし、脈動波形の信号が、直流信号（又は直流成分）とゼロクロス点の交流信号（又は交流電流成分）とを混合することによって構成された信号と見なしてもよい。コンデンサ２６により、脈動波形信号における直流信号をフィルタリングしゼロクロス点の交流信号を残すことができる。このような実現方式において、コンパレータ２７の参考電圧を０として設定すれば（例えば、コンパレータの第２入力端が接地される）、同期信号の位相を便利に判断することができる。
【００８３】
さらに、本発明の実施例において、交流信号及び参考電圧に基づいて、同期信号、第１脈動波形がピーク値又は立ち下がりエッジにあるか否かを判断する方式は複数あり、これは、交流信号の周期及び位相と、第１脈動波形の周期及び位相とに関係がある。具体的な判断方式は、図１１及び図１２で説明される判断方式に類似しているため、ここでは、詳しく説明しない。
【００８４】
以上、第１脈動波形の電流ピーク値の採取方式を詳しく説明した。以下、具体的な実施例に合わせて、取得された第１脈動波形の電流ピーク値による充電プロセスの制御方式について詳しく説明する。
【００８５】
好ましくは、一部の実施例において、図１４に示すように、第２アダプター１０は、電圧調整ユニット２８をさらに備えていてもよい。電圧調整ユニット２８は電力変換ユニット１１に接続され、第２アダプター１０の出力電圧を検出して調整する。電流採取制御ユニット１３は、電圧調整ユニット２８に接続され、電圧調整ユニット２８により、第１脈動波形の電流のピーク値を調整する。
【００８６】
なお、電圧調整ユニット２８の最も基本的な機能は、第２アダプターの出力電圧の調整を実現することである。具体的には、電圧調整ユニット２８は、電力変換ユニット１１を介して第２アダプター１０の出力電圧を検出し、電力変換ユニット１１を介して第２アダプター１０の出力電圧を調整する。言い換えると、電圧調整ユニット２８と電力変換ユニット１１とは第２アダプターの出力電圧のフィードバック制御システムを形成し、該フィードバック制御システムを電圧フィードバックループと称してもよい。なお、第２アダプターの出力電力が一定である場合に、電圧の調整も電流の変化を引き起こす。そのため、本発明の実施例の電流採取制御ユニット１３は、第１脈動波形の電流のピーク値を採取した後、上記電圧フィードバックループを利用して電流の調整を実現することができる。例えば、電流採取制御ユニット１３が第１脈動波形の電流の現在のピーク値を採取した後、該現在のピーク値を目標ピーク値に調整しようとすると、ソフトウェアにより、第１脈動波形の電流のピーク値を目標ピーク値に調整した場合の対応する第２アダプター１０の出力電圧の目標値を算出し、その後、上記電圧フィードバックループを利用して第２アダプター１０の出力電圧を該目標値に調整すればよい。
【００８７】
本発明の実施例の電流採取制御ユニット１３と電圧フィードバックループとが第２アダプターの出力電流のピーク値のフィードバック制御システムを形成している。該フィードバック制御システムは、電流フィードバックループと称してもよい。つまり、本発明の実施例は、電圧フィードバックループ（ハードウェアにより実現する）を含むだけでなく、電流フィードバックループ（電圧フィードバックループに基づいて、ソフトウェアにより算出して実現する）をも含む。これにより、第２アダプターは、第２アダプターの出力電圧の制御を実現することができるほか、第２アダプターの出力電流の制御をも実現するができ、第２アダプターの機能を豊富にし、第２アダプターの智能度合を向上させる。
【００８８】
電流採取制御ユニット１３は電圧調整ユニット２８を介して第１脈動波形の電流のピーク値を調整する方式は複数あってもよい。以下、図１５及び図１７に合わせて一例を挙げて説明する。
【００８９】
好ましくは、一部の実施例において、図１５に示すように、電圧調整ユニット２８は、電圧サンプリングユニット２９と、電圧比較ユニット３０と、電圧制御ユニット３１とを備えていてもよい。電圧サンプリングユニット２９が電力変換ユニット１１に接続され、第２アダプター１０の出力電圧をサンプリングし、第１電圧を取得する。電圧比較ユニット３０の入力端が電圧サンプリングユニット２９に接続され、第１電圧と第１参考電圧とを比較する。電圧制御ユニット３１の入力端が電圧比較ユニット３０の出力端に接続される。電圧制御ユニット３１の出力端が電力変換ユニット１１に接続される。電圧制御ユニット３１は、第１電圧と第１参考電圧との比較結果に基づいて、第２アダプター１０の出力電圧を制御する。電流採取制御ユニット１３は電圧比較ユニット３０に接続され、第１参考電圧の電圧値を調整することにより、第１脈動波形の電流のピーク値を調整する。
【００９０】
具体的には、第２アダプターの出力電圧を採取するために、電圧サンプリングユニット２９の入力端が第２アダプターのバス（ＶＢＵＳ）に接続されてもよい。一部の実施例において、電圧サンプリングユニット２９は、リード線であってもよい。このようにすると、電圧サンプリングユニット２９によってサンプリングされた第１電圧は、第２アダプターの出力電圧である。別の一部の実施例において、電圧サンプリングユニット２９は、分圧するための二つの抵抗を備えていてもよい。このようにすると、電圧サンプリングユニット２９によってサンプリングされた第１電圧は、二つの抵抗によって分圧された電圧である。電圧比較ユニット３０は、演算増幅器により実現することができる。演算増幅器の一つの入力端が、電圧サンプリングユニット２９によって入力される第１電圧を受信し、もう一つの入力端が、第１参考電圧を受信する。演算増幅器の出力端は、第１電圧と第１参考電圧とが等しいか否かを示す電圧フィードバック信号を生成する。電圧制御ユニット３１は、光結合及びＰＷＭコントローラなどの素子により実現することができ、電圧比較ユニット３０によって提供される電圧フィードバック信号に基づいて、第２アダプターの出力電圧を調整する。第２アダプターの出力電力が一定である場合に、電流採取制御ユニット１３は、第１脈動波形の電流のピーク値の所期値に基づいて、対応する第２アダプターの出力電圧の所期値を算出することができる。その後、第１参考電圧の電圧値を調節することにより、第２アダプターの出力電圧を該第２アダプターの出力電圧の所期値に調整し、これにより、第１脈動波形の電流のピーク値を第１脈動波形の電流のピーク値の所期値に調整する。
【００９１】
電流採取制御ユニット１３が第１参考電圧の電圧値を調整する方式は複数あってもよい。好ましくは、一実施例として、図１６に示すように、電流採取制御ユニット１３は、制御ユニット３２と、デジタルアナログコンバータ（Ｄｉｇｉｔａｌ  ｔｏ  Ａｎａｌｏｇ  Ｃｏｎｖｅｒｔｅｒ，ＤＡＣ）３３とを備えていてもよい。ＤＡＣ３３の入力端が制御ユニット３２に接続され、ＤＡＣ３３の出力端が電圧比較ユニット３０に接続される。制御ユニット３２は、ＤＡＣ３３を介して第１参考電圧の電圧値を調整して、第１脈動波形の電流のピーク値を調整する。好ましくは、別の一実施例として、制御ユニット３２は、ＲＣユニット、デジタルポテンショメータなどの回路を介して第１参考電圧の電圧値の調節を実現することができ、本発明の実施例は、これについて具体的に限定しない。
【００９２】
好ましくは、一部の実施例において、図１７に示すように、電圧調整ユニット２８は、分圧ユニット３４と、電圧比較ユニット３０と、電圧制御ユニット３１とを備えていてもよい。分圧ユニット３４の入力端が電力変換ユニット１１に接続され、設定された分圧比に従って第２アダプター１０の出力電圧を分圧して、第２電圧を生成する。電圧比較ユニット３０の入力端が分圧ユニット３４の出力端に接続され、第２電圧と第２参考電圧とを比較する。電圧制御ユニット３１の入力端が電圧比較ユニット３０の入力端に接続される。電圧制御ユニット３１の出力端が電力変換ユニット１１に接続される。電圧制御ユニット３１は、第２電圧と第２参考電圧との比較結果に基づいて、第２アダプター１０の出力電圧を制御する。電流採取制御ユニット１３は電圧比較ユニット３０に接続され、分圧比を調整することにより、第１脈動波形の電流のピーク値を調整する。
【００９３】
本発明の実施例が図１５の実施例に類似しており、異なる点は、本発明の実施例で分圧ユニットが導入されている点である。該分圧ユニットの分圧比は、調節可能である。さらに、本発明の実施例における電流採取制御ユニット１３は、電圧比較ユニット３０の参考電圧を調整することにより、第１脈動波形の電流のピーク値を調整するわけではなく、分圧ユニット３４の分圧比を調整することにより、第１脈動波形の電流のピーク値を調整する。本発明の実施例は、分圧ユニットにより、第２アダプターの出力電圧のサンプリングを実現したほか、第１脈動波形の電流のピーク値の調節をも実現し、第２アダプターの回路構成を簡素化した。
【００９４】
なお、本発明の実施例は、分圧ユニットの分圧比を調節することにより、第１脈動波形の電流のピーク値の調節を実現するため、本発明の実施例における電圧比較ユニットの参考電圧（即ち、上記の第２参考電圧）は、一定であってもよい。
【００９５】
本発明の実施例の分圧ユニット３４の実現方式は複数ある。例えば、デジタルポテンショメータを採用して実現してもよいし、分散された抵抗、スイッチなどの素子により上記分圧及び分圧比調節の機能を実現してもよい。
【００９６】
デジタルポテンショメータの実現方式を例とし、図１８に示すように、電流採取制御ユニット１３は、制御ユニット３２を含み、分圧ユニット３４は、デジタルポテンショメータ３５を含む。デジタルポテンショメータ３５の高電位端が電力変換ユニット１１に接続される。デジタルポテンショメータ３５の低電位端が接地される。デジタルポテンショメータ３５の出力端が電圧比較ユニット３０に接続される。制御ユニット３２は、デジタルポテンショメータ３５の制御端に接続され、デジタルポテンショメータ３５の制御端によりデジタルポテンショメータ３５の分圧比を調整して、第１脈動波形の電流のピーク値を調整する。
【００９７】
好ましくは、一部の実施例において、第２アダプター１０は、第１充電モード及び第２充電モードを有している。第２アダプター１０の第２充電モードでの充電対象機器（例えば端末）への充電速度が第２アダプター１０の第１充電モードでの充電対象機器（例えば端末）への充電速度（上記第１脈動波形の電流が第２アダプターの第２充電モードでの出力電流であってもよい）より速い。言い換えると、第１充電モードで作動する第２アダプター１０に比べて、第２充電モードで作動する第２アダプター１０が同じ容量の充電対象機器（例えば端末）におけるバッテリを満充電するのにかかる時間のほうがより短い。
【００９８】
第２アダプター１０は、制御ユニットを備え、第２アダプター１０が充電対象機器（例えば端末）と接続されているプロセスにおいて、制御ユニットが充電対象機器（例えば端末）と二方向通信して、第２充電モードの充電プロセスを制御する。制御ユニットは、上記いずれかの実施例における制御ユニットであってもよく、例えば、第１調整ユニットにおける制御ユニットであってもよいし、第２調整ユニットにおける制御ユニットであってもよい。
【００９９】
第１充電モードは、普通充電モードであってもよい。第２充電モードは、急速充電モードであってもよい。普通充電モードとは、第２アダプターが比較的小さい電流値（通常２．５Ａより小さい）を出力すること、又は比較的小さい電力（通常１５Ｗより小さい）で充電対象機器（例えば端末）におけるバッテリを充電することを指す。普通充電モードで比較的大容量のバッテリ（例えば３０００ｍＡｈ容量のバッテリ）を完全に満充電しようとするなら、通常に数時間をかける必要があるが、急速充電モードで、第２アダプターが比較的大きい電流（通常は、２．５Ａより大きく、例えば４．５Ａ、５Ａ、さらに高く）を出力し、又は比較的大きい電力（通常１５Ｗ以上である）で充電対象機器（例えば端末）におけるバッテリを充電することができる。普通充電モードに比べて、第２アダプターが急速充電モードで同じ容量のバッテリを完全に満充電するのに必要とする充電時間は、明らかに短縮することができ、充電速度がより速い。
【０１００】
本発明の実施例は、第２アダプターの制御ユニットと充電対象機器（例えば端末）との通信内容、及び制御ユニットが第２アダプターの第２充電モードでの出力を制御する方式について具体的に限定しない。例えば、制御ユニットは、充電対象機器（例えば端末）と通信して、充電対象機器（例えば端末）におけるバッテリの現在の電圧又は現在の電気量についてやりとりを行い、バッテリの現在の電圧又は現在の電気量に基づいて、第２アダプターの出力電圧又は出力電流を調整することができる。以下、具体的な実施例に合わせて、制御ユニットと充電対象機器（例えば端末）との間の通信内容、及び制御ユニットが第２充電モードでの第２アダプターの出力を制御する方式について詳しく説明する。
【０１０１】
好ましくは、一部の実施例において、制御ユニットが充電対象機器（例えば端末）と二方向通信して、第２充電モードでの第２アダプターの出力を制御するプロセスは、制御ユニットが充電対象機器（例えば端末）と二方向通信して、第２アダプターと充電対象機器（例えば端末）との間の充電モードをネゴシエーションすることを含んでもよい。
【０１０２】
本発明の実施例において、第２アダプターは、第２充電モードを盲目的に採用して充電対象機器（例えば端末）を急速充電するわけではなく、充電対象機器（例えば端末）と二方向通信して、第２アダプターが第２充電モードで充電対象機器（例えば端末）を急速充電してもよいか否かをネゴシエーションし、このようにすると、充電プロセスの安全性を向上させることができる。
【０１０３】
具体的には、制御ユニットが充電対象機器（例えば端末）と二方向通信して、第２アダプターと充電対象機器（例えば端末）との間の充電モードをネゴシエーションすることは、制御ユニットが、充電対象機器（例えば端末）が第２充電モードをオンにするか否かを尋ねるための第１コマンドを充電対象機器（例えば端末）に送信することと、制御ユニットが、充電対象機器（例えば端末）から送信された、充電対象機器（例えば端末）が第２充電モードをオンにすることに同意するか否かを指示ための前記第１コマンドに対する返事コマンドを受信することと、充電対象機器（例えば端末）が第２充電モードをオンにすることに同意した場合に、制御ユニットが第２充電モードで充電対象機器（例えば端末）を充電することと、を含んでもよい。
【０１０４】
本発明の実施例の上記説明は、第２アダプター（又は第２アダプターの制御ユニット）と充電対象機器（例えば端末）とのマスター及びスレーブを限定することはない。言い換えると、制御ユニットと充電対象機器（例えば端末）とのうちいずれか一方がマスター装置側として、二方向通信セッションを開始することができる。相応的に、他方がスレーブ装置側としてマスター装置側が開始する通信に対して第１応答又は第１返事を出す。一種の実行可能な方式として、通信プロセスにおいて、第２アダプター側及び充電対象機器（例えば端末）側のアースに対するレベルの高さを比較することにより、マスター及びスレーブ装置の身分を確認することができる。
【０１０５】
本発明の実施例は、第２アダプター（又は第２アダプターの制御ユニット）と充電対象機器（例えば端末）との間の二方向通信の具体的な実現方式を限定していない。つまり、第２アダプター（又は第２アダプターの制御ユニット）と充電対象機器（例えば端末）とのうちいずれか一方がマスター装置側として通信セッションを開始して、相応的に、他方がスレーブ装置側として、マスター装置側が開始する通信セッションに対して第１応答又は第１返事を出す。同時に、マスター装置側は、前記スレーブ装置側からの第１応答又は第１返事に対して第２応答することができる。即ち、マスター及びスレーブ装置の間で一回の充電モードに関するネゴシエーションプロセスが完成されたと考えてもよい。一種の実行可能な実施方式として、マスター及びスレーブ装置側の間で複数回の充電モードに関するネゴシエーションが完成された後、マスター及びスレーブ装置側の間の充電操作を実行することにより、ネゴシエーション後の充電プロセスが安全かつ確実に実行されることを確保することができる。
【０１０６】
マスター装置側として、前記スレーブ装置側の通信セッションに対する第１応答又は第１返事に応じて第２応答を出すことができる一つの方式は、マスター装置側がスレーブ装置側の通信セッションに対する第１応答又は第１返事を受信し、受信されたスレーブ装置の第１応答又は第１返事に応じて対応性のある第２応答を出すことができる方式であってもよい。例として、マスター装置側が所定時間内でスレーブ装置側の通信セッションに対する第１応答又は第１返事を受信した場合に、マスター装置側は、スレーブ装置の第１応答又は第１返事に対して対応性のある第２応答を出すことは、具体的に、マスター装置側とスレーブ装置側とが一回の充電モードに関するネゴシエーションを完成し、マスター装置側とスレーブ装置側との間がネゴシエーションの結果に基づいて、第１充電モード又は第２充電モードに従って充電操作を実行する。即ち、第２アダプターがネゴシエーションの結果に基づいて、第１充電モード又は第２充電モードで作動して充電対象機器（例えば端末）を充電する。
【０１０７】
マスター装置側として、スレーブ装置側の通信セッションに対する第１応答又は第１返事に応じて、更に第２応答を出すことができる一つの方式は、マスター装置側が所定時間内でスレーブ装置側の通信セッションに対する第１応答又は第１返事を受信していなくても、マスター装置側がスレーブ装置の第１応答又は第１返事に対して対応性のある第２応答を出すことであってもよい。例として、マスター装置側が所定時間内でスレーブ装置側の通信セッションに対する第１応答又は第１返事を受信していなくても、マスター装置側がスレーブ装置の第１応答又は第１返事に対して対応性のある第２応答を出すことは、具体的に、マスター装置側とスレーブ装置側とが一回の充電モードに関するネゴシエーションを完成し、マスター装置側とスレーブ装置側との間で第１充電モードに従って充電操作が実行され、即ち、第２アダプターが第１充電モードで作動して充電対象機器（例えば端末）を充電する。
【０１０８】
好ましくは、一部の実施例において、充電対象機器（例えば端末）がマスター装置として、通信セッションを開始する場合に、第２アダプター（又は第２アダプターの制御ユニット）がスレーブ装置として、マスター装置側が開始する通信セッションに対して第１応答又は第１返事を出した後、充電対象機器（例えば端末）が第２アダプターの第１応答又は第１返事に対して対応性のある第２応答を出さなくても、第２アダプター（又は第２アダプターの制御ユニット）と充電対象機器（例えば端末）との間で一回の充電モードに関するネゴシエーションプロセスが完成されたと考えてもよい。さらに、第２アダプターがネゴシエーション結果に基づいて第１充電モード又は第２充電モードで充電対象機器（例えば端末）を充電することを決定することができる。
【０１０９】
好ましくは、一部の実施例において、制御ユニットが充電対象機器（例えば端末）と二方向通信して、第２アダプターの第２充電モードでの出力を制御するプロセスは、制御ユニットが充電対象機器（例えば端末）と二方向通信して、第２充電モードでの第２アダプターから出力された充電対象機器（例えば端末）を充電するための充電電圧を決定することと、制御ユニットが第２アダプターの出力電圧を調整して、第２アダプターの出力電圧が、第２充電モードでの第２アダプターから出力された充電対象機器（例えば端末）を充電するための充電電圧と等しくなるようにすることと、を含んでもよい。
【０１１０】
具体的には、制御ユニットが充電対象機器（例えば端末）と二方向通信して、第２充電モードでの第２アダプターから出力された充電対象機器（例えば端末）を充電するための充電電圧を決定することは、制御ユニットが、第２アダプターの出力電圧と充電対象機器（例えば端末）のバッテリの現在の電圧とがマッチングしているか否かを尋ねるための第２コマンドを充電対象機器（例えば端末）に送信することと、制御ユニットが、充電対象機器（例えば端末）から送信された、第２アダプターの出力電圧とバッテリの現在の電圧とがマッチングしている、高めである又は低めであることを指示するための第２コマンドの返事コマンドを受信することと、を含んでもよい。代替的には、第２コマンドは、第２アダプターの現在の出力電圧を第２充電モードでの第２アダプターから出力された充電対象機器（例えば端末）を充電するための充電電圧とするのが適切であるか否かを尋ねることができる。第２コマンドの返事コマンドは、現在の第２アダプターの出力電圧が適切である、高め又は低めであることを指示することができる。第２アダプターの現在の出力電圧とバッテリの現在の電圧とがマッチングしている、又は第２アダプターの現在の出力電圧を第２充電モードでの第２アダプターから出力された充電対象機器（例えば端末）を充電するための充電電圧とするのが適切であることとは、第２アダプターの現在の出力電圧が、バッテリの現在の電圧よりやや高く、且つ第２アダプターの出力電圧とバッテリの現在の電圧との間の差が所定範囲内（通常は、数百ミリボルトの等級）にあることを指してもよい。
【０１１１】
好ましくは、一部の実施例において、制御ユニットが充電対象機器（例えば端末）と二方向通信して、第２充電モードでの第２アダプターの出力を制御する充電プロセスは、制御ユニットが充電対象機器（例えば端末）と二方向通信して、第２充電モードでの第２アダプターから出力された充電対象機器（例えば端末）を充電するための充電電流を決定することと、制御ユニットが第１脈動波形の電流のピーク値に対して調整して、第１脈動波形の電流のピーク値が、第２充電モードでの第２アダプターから出力された充電対象機器を充電するための充電電流と等しくなるようにすることとを含んでもよい。
【０１１２】
具体的には、制御ユニットが充電対象機器（例えば端末）と二方向通信して、第２充電モードでの第２アダプターから出力された充電対象機器（例えば端末）を充電するための充電電流を決定することは、制御ユニットが、充電対象機器（例えば端末）の現在サポートする最大充電電流を尋ねるための第３コマンドを充電対象機器（例えば端末）に送信することと、制御ユニットが、充電対象機器（例えば端末）から送信された充電対象機器（例えば端末）の現在サポートする最大充電電流を指示するための第３コマンドの返事コマンドを受信することと、制御ユニットが充電対象機器（例えば端末）の現在サポートする最大充電電流に基づいて、第２充電モードでの第２アダプターから出力された充電対象機器（例えば端末）を充電するための充電電流を決定することとを含んでもよい。なお、制御ユニットが充電対象機器（例えば端末）の現在サポートする最大充電電流に基づいて、第２充電モードでの第２アダプターから出力された充電対象機器（例えば端末）を充電するための充電電流を決定する方式は複数あり、例えば、第２アダプターは、充電対象機器（例えば端末）の現在サポートする最大充電電流を第２充電モードでの第２アダプターから出力された充電対象機器（例えば端末）を充電するための充電電流として決定してもよいし、充電対象機器（例えば端末）の現在サポートする最大充電電流及び自身の電流出力能力などの要素を総合的に考慮した後、第２充電モードでの第２アダプターから出力された充電対象機器（例えば端末）を充電するための充電電流を決定してもよい。
【０１１３】
好ましくは、一部の実施例において、制御ユニットが充電対象機器（例えば端末）と二方向通信して、第２充電モードでの第２アダプターの出力を制御するプロセスは、第２アダプターが第２充電モードで充電対象機器（例えば端末）を充電するプロセスにおいて、制御ユニットが充電対象機器（例えば端末）と二方向通信して、第１脈動波形の電流のピーク値を調整することを含んでもよい。
【０１１４】
具体的には、制御ユニットが充電対象機器（例えば端末）と二方向通信して、第１脈動波形の電流のピーク値を調整することは、制御ユニットが充電対象機器（例えば端末）のバッテリの現在の電圧を尋ねるための第４コマンドを充電対象機器（例えば端末）に送信することと、制御ユニットが、第２アダプターから送信された、バッテリの現在の電圧を指示するための第４コマンドの返事コマンドを受信することと、制御ユニットがバッテリの現在の電圧に基づいて、第１脈動波形の電流のピーク値を調整することとを含んでもよい。
【０１１５】
好ましくは、一部の実施例において、図１９Ａに示すように、第２アダプター１０は、充電インターフェース１９１を備える。さらに、一部の実施例において、第２アダプター１０における制御ユニット（図２１に示すＭＣＵ）は、充電インターフェース１９１におけるデータケーブル１９２を介して充電対象機器（例えば端末）と二方向通信することができる。
【０１１６】
好ましくは、一部の実施例において、制御ユニットが充電対象機器（例えば端末）と二方向通信して、第２充電モードでの第２アダプターの出力を制御するプロセスは、制御ユニットが充電対象機器（例えば端末）と二方向通信して、充電インターフェースが接触不良であるか否かを決定することを含んでもよい。
【０１１７】
具体的には、制御ユニットが充電対象機器（例えば端末）と二方向通信して、充電インターフェースが接触不良であるか否かを決定することは、制御ユニットが、充電対象機器（例えば端末）のバッテリの現在の電圧を尋ねるための第４コマンドを充電対象機器（例えば端末）に送信することと、制御ユニットが、充電対象機器（例えば端末）から送信された、充電対象機器（例えば端末）のバッテリの現在の電圧を指示するための第４コマンドの返事コマンドを受信することと、制御ユニットが第２アダプターの出力電圧及び充電対象機器（例えば端末）のバッテリの現在の電圧に基づいて、充電インターフェースが接触不良であるか否かを決定することとを含んでもよい。例えば、制御ユニットが第２アダプターの出力電圧と充電対象機器（例えば端末）の現在の電圧との電圧差が所定電圧閾値より大きいと決定すると、この場合の電圧差を第２アダプターから出力された現在の電流値で割って得られる抵抗値が、所定抵抗閾値より大きいであることを表し、充電インターフェースが接触不良であることを決定することができる。
【０１１８】
好ましくは、一部の実施例において、充電インターフェースが接触不良であることは、充電対象機器（例えば端末）によって決定されてもよい。充電対象機器（例えば端末）が第２アダプターの出力電圧を尋ねるための第６コマンドを制御ユニットに送信し、充電対象機器（例えば端末）が、制御ユニットから送信された、第２アダプターの出力電圧を指示するための第６コマンドの返事コマンドを受信し、充電対象機器（例えば端末）が充電対象機器（例えば端末）のバッテリの現在の電圧及び第２アダプターの出力電圧に基づいて、充電インターフェースが接触不良であるか否かを決定する。充電対象機器（例えば端末）が充電インターフェースが接触不良であることを決定した後、充電対象機器（例えば端末）が充電インターフェースが接触不良であることを指示するための第５コマンドを制御ユニットに送信する。制御ユニットが第５コマンドを受信した後、第２充電モードを終了するように第２アダプターを制御することができる。
【０１１９】
以下、図１９Ｂに合わせて、第２アダプターにおける制御ユニットと充電対象機器（例えば端末）との間の通信プロセスをさらに詳しく説明する。なお、図１９Ｂの例は、ただ当業者が本発明の実施例を理解するのに力を添えるためのものであって、本発明の実施例を例示された具体的な数値又は具体的な場面に限定するためのものではない。当業者は、示される図１９Ｂの例に基づいて、各種同等の修正又は変更を行うことができるのが明らかなことであり、このような修正又は変更も本発明の実施例の範囲内に該当する。
【０１２０】
図１９Ｂに示すように、第２充電モードでの第２アダプターの出力で充電対象機器（例えば端末）を充電するプロセス、即ち充電プロセスは、五つの段階を含んでいてもよい。
【０１２１】
段階１
充電対象機器（例えば端末）が電源供給装置に接続された後、充電対象機器（例えば端末）は、データケーブルＤ＋，Ｄ−を介して電源供給装置のタイプを検出することができる。電源供給装置が第２アダプターであることを検出した場合に、充電対象機器（例えば端末）が受け入れた電流は、所定電流閾値Ｉ２（例えば１Ａであってもよい）より大きくてもよい。第２アダプターにおける制御ユニットが所定持続時間（例えば、連続的なＴ１時間）内で第２アダプターの出力電流がＩ２以上であることを検出した場合に、制御ユニットは、充電対象機器（例えば端末）の電源供給装置のタイプを認識することが既に完成されたと判定してもよい。制御ユニットは、第２アダプターと充電対象機器（例えば端末）との間のネゴシエーションプロセスを開始し、コマンド１（上記第１コマンドに対応する）を充電対象機器（例えば端末）に送信して、充電対象機器（例えば端末）が第２アダプターが第２充電モードで充電対象機器（例えば端末）を充電することに同意するか否かを判定する。
【０１２２】
制御ユニットが、充電対象機器（例えば端末）から送信された、コマンド１の返事コマンドを受信し、且つ該コマンド１の返事コマンドが、充電対象機器（例えば端末）が第２アダプターが第２充電モードで充電対象機器（例えば端末）を充電することに同意しないと指示した場合に、制御ユニットは、第２アダプターの出力電流を再度に検出する。第２アダプターの出力電流が所定連続する時間内（例えば、可以は、連続的なＴ１時間）で依然としてＩ２以上である場合に、制御ユニットは、充電対象機器（例えば端末）にコマンド１を再送信し、充電対象機器（例えば端末）が第２アダプターが第２充電モードで充電対象機器（例えば端末）を充電することに同意するか否かを判定する。制御ユニットは、充電対象機器（例えば端末）が第２アダプターが第２充電モードで充電対象機器（例えば端末）を充電することに同意する、又は第２アダプターの出力電流がＩ２以上であるという条件を満たさないまで段階１の上記ステップを繰り返す。
【０１２３】
充電対象機器（例えば端末）が第２アダプターが第２充電モードで充電対象機器（例えば端末）を充電することに同意した後、通信プロセスが第２段階に移行する。
【０１２４】
段階２
第２アダプターの出力電圧は、複数のグレードを含んでいてもよい。制御ユニットが充電対象機器（例えば端末）にコマンド２（上記第２コマンドに対応する）を送信して、第２アダプターの出力電圧（現在の出力電圧）と充電対象機器（例えば端末）のバッテリの現在の電圧とがマッチングしているか否かを判定する。
【０１２５】
充電対象機器（例えば端末）が制御ユニットにコマンド２の返事コマンドを送信して、第２アダプターの出力電圧と充電対象機器（例えば端末）のバッテリの現在の電圧とがマッチングしている、高めである又は低めであることを指示する。コマンド２に対する返事コマンドが第２アダプターの出力電圧が高めである又は低めであることを指示した場合に、制御ユニットは、第２アダプターの出力電圧を１グレード調整し、充電対象機器（例えば端末）にコマンド２を再送信して、第２アダプターの出力電圧と充電対象機器（例えば端末）のバッテリの現在の電圧とがマッチングしているか否かを再度判定することができる。被充電装置（例えば端末）が第２アダプターの出力電圧と充電対象機器（例えば端末）のバッテリの現在の電圧とがマッチングしていると決定するまで段階２の上記ステップを繰り返して、３段階に移行する。
【０１２６】
段階３
制御ユニットが充電対象機器（例えば端末）にコマンド３（上記第３コマンドに対応する）を送信して、充電対象機器（例えば端末）の現在サポートする最大充電電流を判定する。充電対象機器（例えば端末）が制御ユニットにコマンド３の返事コマンドを送信して、充電対象機器（例えば端末）の現在サポートする最大充電電流を指示して、第４段階に移行する。
【０１２７】
段階４
制御ユニットは、充電対象機器（例えば端末）の現在サポートする最大充電電流に基づいて、第２充電モードでの第２アダプターから出力された充電対象機器（例えば端末）を充電するための充電電流を決定した後、定電流充電段階である段階５に移行する。
【０１２８】
段階５
定電流充電段階に入った後、制御ユニットは、一定時間ごとに充電対象機器（例えば端末）にコマンド４（上記第４コマンドに対応する）を送信して、充電対象機器（例えば端末）のバッテリの現在の電圧を判定することができる。充電対象機器（例えば端末）は、制御ユニットにコマンド４の返事コマンドを送信して、充電対象機器（例えば端末）のバッテリの現在の電圧をフィードバックすることができる。制御ユニットは、充電対象機器（例えば端末）のバッテリの現在の電圧に基づいて、充電インターフェースが接触良好であるか否か、及び第１脈動波形の電流のピーク値を低下させる必要があるか否かを判断することができる。第２アダプターが充電インターフェースが接触不良であると判断した場合に、充電対象機器（例えば端末）にコマンド５（上記第５コマンドに対応する）を送信することができ、第２アダプターは、第２充電モードを終了し、その後、リセットして再度に段階１に移行する。
【０１２９】
好ましくは、一部の実施例において、段階１において、充電対象機器（例えば端末）がコマンド１の返事コマンドを送信する場合に、コマンド１の返事コマンドは、該充電対象機器（例えば端末）の通路抵抗のデータ（又は情報）を運ぶことができる。充電対象機器（例えば端末）の通路抵抗データは、段階５で充電インターフェースの接触が良好であるか否かを判断するためのものである。
【０１３０】
好ましくは、一部の実施例において、段階２において、充電対象機器（例えば端末）が第２アダプターが第２充電モードで充電対象機器（例えば端末）を充電することに同意した時点から、制御ユニットが第２アダプターの出力電圧を適切な充電電圧に調整する時点までかかった時間は、一定範囲内に制御することができる。該時間が所定範囲を超えると、第２アダプター又は充電対象機器（例えば端末）は、急速充電通信プロセスが異常であると判定し、リセットして再度に段階１に入ることができる。
【０１３１】
好ましくは、一部の実施例において、段階２において、第２アダプターの出力電圧が充電対象機器（例えば端末）のバッテリの現在の電圧よりΔＶ(ΔＶは、２００〜５００ｍＶとしてもよい)高い場合に、充電対象機器（例えば端末）は、制御ユニットにコマンド２の返事コマンドを送信して、第２アダプターの出力電圧と充電対象機器（例えば端末）のバッテリ電圧とがマッチングしていることを指示することができる。
【０１３２】
好ましくは、一部の実施例において、段階４において、第２アダプターの出力電流の調整速度は、一定範囲内に制御することができる。このようにすると、調整速度が速すぎることによる第２充電モードでの第２アダプターの出力が充電対象機器（例えば端末）を充電するプロセスの異常の発生を避けることができる。
【０１３３】
好ましくは、一部の実施例において、段階５において、第２アダプターの出力電流の変化幅は、５％以内に制御することができる。
【０１３４】
好ましくは、一部の実施例において、段階５において、制御ユニットは、充電回路の通路抵抗をリアルタイムにモニターリングすることができる。具体的には、制御ユニットは、第２アダプターの出力電圧ト、出力電流と、充電対象機器（例えば端末）によってフィードバックされたバッテリの現在の電圧とに基づいて、充電回路の通路抵抗をモニターリングすることができる。「充電回路の通路抵抗」＞「充電対象機器（例えば端末）の通路抵抗＋充電ケーブルの抵抗」の場合に、充電インターフェースが接触不良であると判定することができ、第２アダプターは第２充電モードで充電対象機器（例えば端末）を充電するのを停止する。
【０１３５】
好ましくは、一部の実施例において、第２アダプターが第２充電モードで充電対象機器（例えば端末）を充電するのを開始した後、制御ユニットと充電対象機器（例えば端末）との間の通信時間の間隔は、一定範囲内に制御することができ、通信間隔が短すぎることによる通信プロセスの異常の発生を避ける。
【０１３６】
好ましくは、一部の実施例において、充電プロセスの停止（又は第２アダプターが第２充電モードで充電対象機器（例えば端末）を充電するプロセスの停止）は、回復可能な停止と回復不可能な停止との２種類に分けることができる。
【０１３７】
例えば、充電対象機器（例えば端末）のバッテリの満充電されたこと又は充電インターフェースが接触不良であることが検出された場合に、充電プロセスが停止され、充電通信プロセスがリセットされ、充電プロセスが再度に段階１に入る。その後、充電対象機器（例えば端末）が第２アダプターが第２充電モードで充電対象機器（例えば端末）を充電することに同意しないと、通信プロセスは段階２に入らない。このような場合の充電プロセスの停止は、回復不可能な停止と見なされてもよい。
【０１３８】
また、例えば、制御ユニットと充電対象機器（例えば端末）との間に通信異常が現れた場合に、充電プロセスが停止され、充電通信プロセスがリセットされ、充電プロセスが再度に段階１に入る。段階１の需要が満たされた後、充電対象機器（例えば端末）が、第２アダプターが第２充電モードで充電対象機器（例えば端末）を充電することに同意して、充電プロセスを回復する。このような場合の充電プロセスの停止は、回復可能な停止と見なされてもよい。
【０１３９】
また、例えば、充電対象機器（例えば端末）がバッテリに異常が現れたことを検出した場合に、充電プロセスが停止され、充電通信プロセスがリセットされ、充電プロセスが再度に段階１に移行する。その後、充電対象機器（例えば端末）が、第２アダプターが第２充電モードで充電対象機器（例えば端末）を充電することに同意しない。バッテリが正常に回復して、段階１の需要を満たした後、充電対象機器（例えば端末）が、第２アダプターが第２充電モードで充電対象機器（例えば端末）を充電することに同意する。このような場合の急速充電プロセスの停止は、回復可能な停止と見なされてもよい。
【０１４０】
以上、図１９Ｂに示す通信ステップ又は操作が例に過ぎない。例えば、段階１において、充電対象機器（例えば端末）が第２アダプターに接続された後、充電対象機器（例えば端末）と制御ユニットとの間のハンドシェイク通信は、充電対象機器（例えば端末）によって開始されてもよく、即ち、充電対象機器（例えば端末）がコマンド１を送信し、制御ユニットが第２充電モードをオンにするか否かを判定する。充電対象機器（例えば端末）が、制御ユニットから送信された、制御ユニットが第２アダプターが第２充電モードで充電対象機器（例えば端末）を充電することに同意することを指示するための返事コマンドを受信した場合に、第２アダプターは、第２充電モードで充電対象機器（例えば端末）のバッテリを充電し始める。
【０１４１】
また、例えば、段階５の後、定電圧充電段階をさらに含んでいてもよい。具体的には、段階５において、充電対象機器（例えば端末）は、制御ユニットにバッテリの現在の電圧をフィードバックすることができ、バッテリの現在の電圧が定電圧充電電圧閾値に達した場合に、充電段階は、定電流充電段階から定電圧充電段階に入る。定電圧充電段階において、充電電流が次第に減小していき、電流がある閾値に低下した場合に、充電のプロセスの全体が停止され、充電対象機器（例えば端末）のバッテリが満充電されることを表す。
【０１４２】
さらに、図２０に示すように、上記いずれかの実施例のもとで、第２アダプター１０は、第１充電モード及び第２充電モードを有することができる。第２アダプターの第２充電モードでの充電対象機器（例えば端末）への充電速度は、第２アダプターの第１充電モードでの充電対象機器（例えば端末）への充電速度より速い。電力変換ユニット１１は、２次フィルタユニット３７を備えていてもよい、第２アダプター１０は、２次フィルタユニット３７に接続される制御ユニット３６を備えていてもよい。第１充電モードにおいて、制御ユニット３６は、作動するように２次フィルタユニット３７を制御して、第２アダプター１０の出力電圧の電圧値が一定であるようにする。第２充電モードおいて、制御ユニット３６は作動を停止するように２次フィルタユニット３７を制御して、第２アダプター１０の出力電流が第１脈動波形の電流であるようにする。
【０１４３】
本発明の実施例において、制御ユニットは、２次フィルタユニットが作動するか否かを制御することにより、第２アダプターは電流値が一定である普通直流電流を出力することができるほか、電流値が変化する脈動直流電流を出力することもでき、従来の充電モードを兼ねている。
【０１４４】
好ましくは、一部の実施例において、第２アダプターは、第１脈動波形の電流を直接に充電対象機器（例えば端末）のバッテリの両端に印加して、バッテリを直接充電する。
【０１４５】
具体的には、直接充電とは、第２アダプターの出力電圧及び出力電流を直接に充電対象機器（例えば端末）のバッテリの両端に印加して（又は直接にガイドする）、充電対象機器（例えば端末）のバッテリを充電し、途中で変換回路によって第２アダプターの出力電流又は出力電圧を変換する必要がなく、変換プロセスによるエネルギーの損失が避けられることを指してよい。第２充電モードで充電するプロセスにおいて、充電回路における充電電圧又は充電電流を調整できるために、第２アダプターを知能的なアダプターとして設計することができ、第２アダプターにより充電電圧又は充電電流の変換を完成する。このようにすると、充電対象機器（例えば端末）の負担を軽減し、充電対象機器の発熱量を低下させることができる。
【０１４６】
本発明の実施例の第２アダプター１０は、定電流モードで作動することができる。本文における定電流モードとは、第２アダプターの出力電流を制御する充電モードを指し、第２アダプターの出力電流が一定に維持されて変動しないことを要求することではない。実際に第２アダプターが定電流モードで通常に多段階定電流の方式で充電する。
【０１４７】
多段階定電流充電（Ｍｕｌｔｉ−ｓｔａｇｅ  ｃｏｎｓｔａｎｔ  ｃｕｒｒｅｎｔ  ｃｈａｒｇｉｎｇ）がＮ個の充電段階（Ｎが２以上の整数である）を有する。多段階定電流充電は、所定の充電電流で第１段階の充電を始めることができる。多段階定電流充電のＮ個の充電段階は、第１段階から第(Ｎ−１)段階まで順次に実行される。充電段階のうち前の充電段階が次の充電段階に移行した後、充電電流値が小さくなる。バッテリ電圧が充電終止電圧閾値に達した場合に、充電段階のうち前の充電段階が次の充電段階に移行することになる。
【０１４８】
さらに、第２アダプターの出力電流が脈動直流電流である場合に、定電流モードとは、脈動直流電流のピーク値又は平均値を制御する充電モードを指してもよい。即ち、第２アダプターの出力電流のピーク値が定電流モードに対応する電流を超えないように制御する。
【０１４９】
以下、具体的な一例に合わせて、本発明の実施例をさらに詳しく説明する。なお、図２１及び図２２の例は、ただ当業者が本発明の実施形態を理解するのに力を添えるためのものであって、本発明の実施形態に例示された具体的な数値又は具体的な場面に限定するためのものではない。当業者は、提供される図２１及び図２２の例に基づいて、各種同等の修正又は変更を行うことができるのは明らかなことであり、このような修正又は変更も本発明の実施形態の範囲内に該当する。
【０１５０】
第２アダプターは、電力変換ユニット（上記の電力変換ユニット１１に対応する）を備える。図２１に示すように、該電力変換ユニットは、交流電流ＡＣの入力端と、１次整流ユニット３８と、変圧器Ｔ１と、２次整流ユニット３９と、第１整流ユニット２０とを備えていてもよい。
【０１５１】
具体的には、交流電流ＡＣの入力端が商用電源（一般的には、２２０Ｖの交流電流である）を導入して、商用電源を１次整流ユニット３８に供給する。
【０１５２】
１次整流ユニット３８は、商用電源を第２脈動波形の電流に変換し、第２パルス直流電を変圧器Ｔ１に供給する。１次整流ユニット３８は、ブリッジ整流ユニットであってもよい。例えば、図２１に示されるようなフルブリッジ整流ユニットであってもよいし、又は、ハーフブリッジ整流ユニットであってもよい。本発明の実施例は、これについて具体的に限定しない。
【０１５３】
変圧器Ｔ１は、第１脈動直流電流を変圧器の１次より２次に結合する。変圧器Ｔ１は、普通の変圧器であってもよいし、作動周波数が５０ＫＨｚ〜２ＭＨｚである高周波変圧器であってもよい。変圧器Ｔ１の１次巻線の数及び接続形式が第２アダプターにおいて採用されるスイッチング電源のタイプに関連し、本発明の実施例は、これについて具体的に限定しない。図２１に示すように、第２アダプターは、フライバックスイッチング電源を採用し、変圧器の１次巻線の一端が１次整流ユニット３８に接続され、１次巻線の他端がＰＷＭコントローラによって制御されるスイッチに接続されてもよい。無論、第２アダプターは、順方向スイッチング電源又はプッシュプルスイッチング電源を採用する第２アダプターであってもよい。異なるタイプのスイッチング電源における１次整流ユニット及び変圧器は、それぞれの接続形式を有し、簡潔のために、ここでは、枚挙しない。
【０１５４】
２次整流ユニット３９は、１次より２次に結合された電流を整流して、第１脈動波形の電流を取得する。２次整流ユニット３９の形式は複数ある。図２１に示されるのは、一種の典型的な２次同期整流回路である。同期整流回路は、同期整流（Ｓｙｎｃｈｒｏｎｏｕｓ  Ｒｅｃｔｉｆｉｅｒ，ＳＲ）チップと、該ＳＲチップによって制御される金属酸化物半導体（Ｍｅｔａｌ  Ｏｘｉｄｅ  Ｓｅｍｉｃｏｎｄｕｃｔｏｒ，ＭＯＳ）トランジスタと、ＭＯＳトランジスタのソース電極及びドレイン電極の両端に接続されるダイオードとを備える。ＳＲチップがＭＯＳトランジスタのゲート電極にＰＷＭ制御信号を送信し、ＭＯＳトランジスタの導通及び遮断を制御して、２次同期整流を実現する。
【０１５５】
第１整流ユニット２０は、１次より２次に結合された電流を整流して、同期信号を取得する。図２１に示すように、第１整流ユニット２０は、順方向整流回路であってもよい。同期信号は、順方向整流回路から出力される順方向電圧（ｆｏｒｗａｒｄ  ｖｏｌｔａｇｅ）である。
【０１５６】
さらに、第２アダプターは、サンプリング保持ユニット（上記のサンプリング保持ユニット１２に対応する）を備えていてもよい。該サンプリング保持ユニットは、電流サンプリングユニット（上記の電流サンプリングユニット１４に対応する）と、電流保持ユニット（上記の電流保持ユニット１５に対応する）とを備える。
【０１５７】
具体的には、図２１に示すように、電流サンプリングユニットは、具体的に、検流抵抗Ｒ３と、検流計とを備える。検流計は、検流抵抗Ｒ３を介して第１脈動波形の電流を検流して、サンプリング電流を取得し、該サンプリング電流を対応するサンプリング電圧（該サンプリング電圧は、第１脈動波形の電流の大きさを示すために用いられる）に変換する。
【０１５８】
回路保持ユニットは、分圧抵抗Ｒ４，Ｒ５と、コンデンサＣ１とを備える。回路保持ユニットは、まず、分圧抵抗Ｒ４，Ｒ５を介して検流計の出力インターフェース（ＯＵＴＰＵＴ）から出力されるサンプリング電圧を分圧し、そして、分圧して得られた電圧によりコンデンサＣ１を充電し、コンデンサＣ１の両端の電圧が第１脈動波形の電流が変化するにつれて変化するようにする。第１脈動波形がピーク値又は立ち下がりエッジに達した場合に、コンデンサＣ１の両端の電圧が最大値（該最大値は、第１脈動波形の電流のピーク値に対応する）に達し、サンプリング保持ユニットが保持状態に入る。
【０１５９】
さらに、第２アダプターは、電流採取制御ユニット（上記の電流採取制御ユニット１３に対応する）を備える。電流採取制御ユニッは、ＭＣＵ（上記の制御ユニットに対応する）と、比較ユニット２４と、放電ユニット１６とを備えていてもよい。
【０１６０】
具体的には、比較ユニット２４は、コンパレータを備えていてもよい。コンパレータの第１入力端は、同期信号を受信する。コンパレータの第２入力端は、参考電圧を受信する。一部の実施例において、第１入力端は、同相入力端であり、第２入力端は、逆相入力端である。別の一部の実施例において、第１入力端は、逆相入力端であり、第２入力端は、同相入力端である。コンパレータは、比較結果をＭＣＵに送信する。
【０１６１】
ＭＣＵは、コンパレータの比較結果に基づいて、第１脈動波形がいつピーク値又は立ち下がりエッジにあるかを判断する。第１脈動波形がピーク値又は立ち下がりエッジにある場合に、サンプリング保持回路が保持状態にあることを表している。ＭＣＵがＡＤＣを介してコンデンサＣ１の両端の電圧を採取して、第１脈動波形の電流のピーク値を決定する。
【０１６２】
放電ユニット１６は、スイッチングトランジスタＱ３と、抵抗Ｒ６とを備えていてもよい。ＭＣＵが第１脈動波形の電流のピーク値を採取した後、ＭＣＵは、導通するようにスイッチングトランジスタＱ３を制御して、コンデンサＣ１は、抵抗Ｒ６に放電し、コンデンサＣ１の両端の電荷を解放する。このようにすると、コンデンサＣ１の両端の電圧は、再度に第１脈動波形の電流が変化するにつれて変化することができるようになり、サンプリング保持ユニットが保持状態からサンプリング状態に切り替えたことも表している。
【０１６３】
さらに、第２アダプターは、電圧調整ユニット（上記の電圧調整ユニット２８に対応する）を備えていてもよい。電圧調整ユニットは、電圧サンプリングユニット（上記の電圧サンプリングユニット２９に対応する）と、電圧比較ユニット（上記の電圧比較ユニット３０に対応する）と、電圧制御ユニット（上記の電圧制御ユニット３１に対応する）とを備えていてもよい。
【０１６４】
具体的には、図２１に示すように、電圧サンプリングユニットは、第２アダプターの出力電圧を分圧して、第１電圧を取得するための抵抗Ｒ１及び抵抗Ｒ２を備える。
【０１６５】
電圧比較ユニットは、演算増幅器ＯＰＡを備える。ＯＰＡの逆相入力端は、第１電圧を受信する。ＯＰＡの同相入力端は、ＤＡＣに接続され、ＤＡＣによって供給される第１参考電圧を受信する。ＤＡＣがＭＣＵに接続される。ＭＣＵは、ＤＡＣを介して第１参考電圧調整することができ、さらに、第２アダプターの出力電圧及び／又は出力電流を調整する。
【０１６６】
電圧制御ユニットは、光結合ユニット４０と、ＰＷＭコントローラとを備える。光結合ユニット４０の入力端がＯＰＡの出力端に接続される。ＯＰＡの出力電圧が光結合ユニット４０の作動電圧ＶＤＤより低い場合に、光結合ユニット４０は、作動し始め、ＰＷＭコントローラのＦＢ端にフィードバック電圧を供給する。ＰＷＭコントローラは、ＣＳ端とＦＢ端との電圧を比較することにより、ＰＷＭ端から出力されるＰＷＭ信号のデューティー比を制御する。ＯＰＡの出力電圧が０である場合に、ＦＢ端の電圧が安定しており、ＰＷＭコントローラのＰＷＭ端から出力されるＰＷＭ制御信号のデューティー比が一定に維持される。ＰＷＭコントローラのＰＷＭ端は、スイッチングトランジスタＱ２を介して変圧器Ｔ１の１次巻線に接続され、第２アダプターの出力電圧及び出力電流を制御する。ＰＷＭ端から送信された制御信号のデューティー比が一定である場合に、第２アダプターの出力電圧及び出力電流も安定に維持される。
【０１６７】
また、ＭＣＵは、通信インターフェースをさらに備えていてもよい。該通信インターフェースを介して充電対象機器（例えば端末）と二方向通信して、第２アダプターの充電プロセスを制御することができる。充電インターフェースがＵＳＢインターフェースであるのを一例とし、通信インターフェースは、ＵＳＢインターフェースであってもよい。具体的には、第２アダプターは、ＵＳＢインターフェースにおける電源コードを用いて充電対象機器（例えば端末）を充電し、ＵＳＢインターフェースにおけるデータケーブル（Ｄ＋及び／又はＤ−）を用いて充電対象機器（例えば端末）と通信することができる。
【０１６８】
また、光結合ユニット４０は、さらに、電圧レギュレータユニットに接続されてもよく、光結合の作動電圧が安定に維持されるようにする。図２１に示すように、本発明の実施例における電圧レギュレータユニットは、低ドロップアウトレギュレータ（Ｌｏｗ  Ｄｒｏｐｏｕｔ  Ｒｅｇｕｌａｔｏｒ，ＬＤＯ）を採用することにより、実現することができる。
【０１６９】
図２２の実施例は図２１の実施例に類似しており、異なる点は、図２１における抵抗Ｒ１と抵抗Ｒ２とから構成される電圧採取ユニットがデジタルポテンショメータ（デジタルポテンショメータは、上記の分圧ユニット３４に対応する）に置き換えられ、ＯＰＡの逆相入力端が一つの一定の第２参考電圧に接続され、ＭＣＵがデジタルポテンショメータの分圧比を調節することにより、第２アダプターの出力電圧及び出力電流を調節する。例えば、第２アダプターの出力電圧が５Ｖであると望む場合に、デジタルポテンショメータの分圧比を調節することにより、第２アダプターの出力電圧が５Ｖである場合のデジタルポテンショメータの出力端の電圧が第２参考電圧と等しくなるようにすることができる。同様に、第２アダプターの出力電圧が３Ｖであると望む場合に、デジタルポテンショメータの分圧比を調整することにより、第２アダプターの出力電圧が３Ｖである場合のデジタルポテンショメータの出力端の電圧が第２参考電圧と等しくなるようにすることができる。
【０１７０】
図２１及び図２２に示す実施例において、同期信号は、第１整流ユニット２０が整流することによって取得されるものであるが、本発明の実施例は、これに限らず、第２アダプターの１次から同期信号を取得してもよく、例えば、図９に示す実現方式を採用する。又は、サンプリング保持ユニットから同期信号を取得してもよく、例えば図２１及び図２２に示す検流計の出力インターフェース（ＯＵＴＰＵＴ）から取得する。
【０１７１】
図２１及び図２２に示す実施例において、比較ユニット２４は、同期信号と参考電圧とを直接に比較して、サンプリング保持ユニットが保持状態にあるか否かを判断するが、本発明の実施例は、これに限られない。図１３に示す実現方式を採用してもよく、コンデンサにより同期信号における直流信号をフィルタリングし、ゼロクロス点の交流信号を取得し、ゼロクロス点の交流信号と参考電圧とを比較して、サンプリング保持ユニットが保持状態にあるか否かを判断する。
【０１７２】
本文において、異なる符号で示される制御ユニットは、互いに分離された制御ユニットであってもよいし、同一の制御ユニットであってもよい。好ましくは、一部の実施例において、第２アダプターは、ＭＣＵを備え、本文における制御ユニットは、いずれもＭＣＵを指す。
【０１７３】
以上、図１〜図２２に合わせて、本発明の装置の実施例を詳しく説明した。以下、図２３に合わせて、本発明の一実施形態に係る方法の実施例を詳しく説明する。なお、方法の説明と装置の説明とが互いに対応しており、簡潔のために、重複した説明を適宜省略する。
【０１７４】
図２３は、本発明の一実施形態として提供する充電制御方法の概略フローチャートである。図２３の方法は第２アダプターに適用することができ、例えば、図１〜図２２で説明される第２アダプターであってもよい。第２アダプターは、電力変換ユニットと、サンプリング保持ユニットとを含んでもよい。電力変換ユニットは、入力された交流電流を変換して、第２アダプターの出力電圧及び出力電流を取得することができる。第２アダプターの出力電流が第１脈動波形の電流である。サンプリング保持ユニットが電力変換ユニットに接続される。サンプリング保持ユニットがサンプリング状態にある場合に、サンプリング保持ユニットは、第１脈動波形の電流をサンプリングをする。サンプリング保持ユニットが保持状態にある場合に、サンプリング保持ユニットは、第１脈動波形の電流のピーク値を保持する。
【０１７５】
図２３の方法は、サンプリング保持ユニットが保持状態にあるか否かを判断するステップ２３１０と、サンプリング保持ユニットが保持状態にあると判断された場合に、サンプリング保持ユニットによって保持された第１脈動波形の電流のピーク値を採取するステップ２３２０とを含む。
【０１７６】
好ましくは、一部の実施例において、サンプリング保持ユニットが保持状態にあるか否かを判断するステップは、同期信号を受信するステップと、同期信号に基づいて、サンプリング保持ユニットが保持状態にあるか否かを判断するステップとを含んでいてもよい。同期信号の周期が第１脈動波形の周期の１／Ｎであり、Ｎが１以上の整数である。
【０１７７】
好ましくは、一部の実施例において、同期信号を受信するステップは、電力変換ユニットから同期信号を取得するステップを含んでいてもよい。
【０１７８】
好ましくは、一部の実施例において、電力変換ユニットは、１次ユニットと、２次ユニットとを備える。電力変換ユニットから同期信号を取得するステップは、２次ユニットから同期信号を取得するステップを含んでいてもよい。
【０１７９】
好ましくは、一部の実施例において、２次ユニットは、第１整流ユニットを備えている。第１整流ユニットは電流採取制御ユニットに接続される。第１整流ユニットは、１次ユニットから２次ユニットに結合された電流を整流して、第２リップル形式の電圧を取得し、第２脈動波形の電圧を同期信号として、電流採取制御ユニットに同期信号を送信する。
【０１８０】
好ましくは、一部の実施例において、電力変換ユニットは、１次ユニットと、２次ユニットとを備えていてもよい。電力変換ユニットから同期信号を取得するステップは、１次ユニットから同期信号を取得するステップを含んでいてもよい。
【０１８１】
好ましくは、一部の実施例において、１次ユニットは、交流電流を整流して、第３脈動波形の電圧を取得する。第３脈動波形と第１脈動波形との周期が同じである。１次ユニットは、光結合ユニットを介して第３脈動波形の電圧を第２アダプターの１次から第２アダプターの２次に結合して、第４脈動波形の電圧を取得し、第４脈動波形の電圧を同期信号として、電流採取制御ユニットに送信する。
【０１８２】
好ましくは、一部の実施例において、同期信号を受信するステップは、サンプリング保持ユニットから同期信号を取得するステップを含んでいてもよい。
【０１８３】
好ましくは、一部の実施例において、サンプリング保持ユニットは、第１脈動波形の電流をサンプリングして、サンプリング電流を取得し、サンプリング電流をサンプリング電圧に変換し、サンプリング電圧を同期信号として、電流採取制御ユニットに送信する。サンプリング電圧は、第１脈動波形の電流の大きさを示すためのものである。
【０１８４】
好ましくは、一部の実施例において、同期信号に基づいて、サンプリング保持ユニットが保持状態にあるか否かを判断するステップは、同期信号に基づいて、第１脈動波形がピーク値又は立ち下がりエッジにあるか否かを判断するステップと、第１脈動波形がピーク値又は立ち下がりエッジにあると判断された場合に、サンプリング保持ユニットが保持状態にあると決定するステップとを含んでいてもよい。
【０１８５】
好ましくは、一部の実施例において、同期信号に基づいて、第１脈動波形がピーク値又は立ち下がりエッジにあるか否かを判断するステップは、同期信号の電圧と参考電圧との比較結果に基づいて、第１脈動波形がピーク値又は立ち下がりエッジにあるか否かを判断するステップを含んでいてもよい。
【０１８６】
好ましくは、一部の実施例において、同期信号に基づいて、第１脈動波形がピーク値又は立ち下がりエッジにあるか否かを判断するステップは、同期信号における直流信号をフィルタリングして、ゼロクロス点の交流信号を取得するステップと、交流信号の電圧と参考電圧とを比較するステップと、交流信号の電圧と参考電圧との比較結果に基づいて、第１脈動波形がピーク値又は立ち下がりエッジにあるか否かを判断するステップとを含んでいてもよく、参考電圧の電圧値が０である。
【０１８７】
好ましくは、一部の実施例において、第１脈動波形の周期と同期信号の周期が同じである。
【０１８８】
好ましくは、一部の実施例において、図２３の方法は、第１脈動波形の電流のピーク値を採取した後、保持状態からサンプリング状態に変換されるようにサンプリング保持ユニットを制御するステップをさらに含んでいてもよい。
【０１８９】
好ましくは、一部の実施例において、サンプリング保持ユニットは、コンデンサを備える。サンプリング保持ユニットは、サンプリング保持ユニットにおけるコンデンサにより、第１脈動波形の電流のピーク値を保持する。保持状態からサンプリング状態に変換されるようにサンプリング保持ユニットを制御するステップは、サンプリング保持ユニットにおけるコンデンサの両端の電荷を解放することにより、サンプリング保持ユニットが保持状態からサンプリング状態に変換されるようにするステップを含んでいてもよい。
【０１９０】
好ましくは、一部の実施例において、第２アダプターは、電圧調整ユニットをさらに備えている。電圧調整ユニットは電力変換ユニットに接続され、第２アダプターの出力電圧を検出して調整する。図２３の方法は、電圧調整ユニットにより、第１脈動波形の電流のピーク値を調整するステップをさらに含んでいてもよい。
【０１９１】
好ましくは、一部の実施例において、電圧調整ユニットは、電圧サンプリングユニットと、電圧比較ユニットと、電圧制御ユニットとを備える。電圧サンプリングユニットは電力変換ユニットに接続され、第２アダプターの出力電圧をサンプリングして、第１電圧を取得する。電圧比較ユニットの入力端が電圧サンプリングユニットに接続され、第１電圧と第１参考電圧とを比較する。電圧制御ユニットの入力端が電圧比較ユニットの出力端に接続される。電圧制御ユニットの出力端が電力変換ユニットに接続される。電圧制御ユニットは、第１電圧と第１参考電圧との比較結果に基づいて、第２アダプターの出力電圧を制御する。電圧調整ユニットにより、第１脈動波形の電流のピーク値を調整するステップは、第１参考電圧の電圧値を調整することにより、第１脈動波形の電流のピーク値を調整するステップを含んでいてもよい。
【０１９２】
好ましくは、一部の実施例において、第１参考電圧の電圧値を調整することにより、第１脈動波形の電流のピーク値を調整するステップは、デジタルＤＡＣにより第１参考電圧の電圧値を調整して、第１脈動波形の電流のピーク値を調整するステップを含んでいてもよい。
【０１９３】
好ましくは、一部の実施例において、電圧調整ユニットは、分圧ユニットと、電圧比較ユニットと、電圧制御ユニットとを備えている。分圧ユニットの入力端が電力変換ユニットに接続され、設定された分圧比に従って第２アダプターの出力電圧を分圧して、第２電圧を生成する。電圧比較ユニットの入力端が分圧ユニットの出力端に接続され、第２電圧と第２参考電圧とを比較する。電圧制御ユニットの入力端が電圧比較ユニットの入力端に接続される。電圧制御ユニットの出力端が電力変換ユニットに接続される。電圧制御ユニットは、第２電圧と第２参考電圧との比較結果に基づいて、第２アダプターの出力電圧を制御する。電圧調整ユニットにより、第１脈動波形の電流のピーク値を調整するステップは、分圧比を調整することにより、第１脈動波形の電流のピーク値を調整するステップを含んでいてもよい。
【０１９４】
好ましくは、一部の実施例において、分圧ユニットは、デジタルポテンショメータを備える。デジタルポテンショメータの高電位端が電力変換ユニットに接続される。デジタルポテンショメータの低電位端が接地される。デジタルポテンショメータの出力端が電圧比較ユニットに接続される。分圧比を調整することにより、第１脈動波形の電流のピーク値を調整するステップは、デジタルポテンショメータの分圧比を調整して、第１脈動波形の電流のピーク値を調整するステップを含んでいてもよい。
【０１９５】
好ましくは、一部の実施例において、サンプリング保持ユニットは、電流サンプリングユニットと、電流保持ユニットとを含んでいてもよい。電流サンプリングユニットが電力変換ユニットに接続され、第１脈動波形の電流を検出して、サンプリング電流を取得し、サンプリング電流をサンプリング電圧に変換する。サンプリング電圧は、第１脈動波形の電流の大きさを示すためのものである。電流保持ユニットが電流サンプリングユニット及び電流採取制御ユニットに接続される。電流保持ユニットは、電流サンプリングユニットからサンプリング電圧を受信し、サンプリング電圧に基づいて電流保持ユニットにおけるコンデンサを充電する。サンプリング保持ユニットによって保持された第１脈動波形の電流のピーク値を採取するステップは、サンプリング保持ユニットにおけるコンデンサの両端の電圧を採取することにより、第１脈動波形の電流のピーク値を取得するステップを含んでいてもよい。
【０１９６】
好ましくは、一部の実施例において、サンプリング保持ユニットによって保持された第１脈動波形の電流のピーク値を採取するステップは、ＡＤＣにより第１脈動波形の電流のピーク値を採取するステップを含んでいてもよい。
【０１９７】
好ましくは、一部の実施例において、第２アダプターは、第１充電モード及び第２充電モードをサポートする。第２アダプターの第２充電モードでの充電対象機器への充電速度は、第２アダプターの第１充電モードでの充電対象機器への充電速度より速い。第１脈動波形の電流が第２アダプターの第２充電モードでの出力電流である。図２３の方法は、第２アダプターが充電対象機器と接続されているプロセスにおいて、充電対象機器と二方向通信して、第２充電モードでの第２アダプターの出力を制御するステップをさらに含んでいてもよい。
【０１９８】
好ましくは、一部の実施例において、充電対象機器と二方向通信して、第２充電モードでの第２アダプターの出力を制御するプロセスは、充電対象機器と二方向通信して、第２アダプターと充電対象機器との間の充電モードをネゴシエーションするステップを含んでいてもよい。
【０１９９】
好ましくは、一部の実施例において、充電対象機器と二方向通信して、第２アダプターと充電対象機器との間の充電モードをネゴシエーションするステップは、充電対象機器が第２充電モードをオンにするか否かを判定するための第１コマンドを充電対象機器に送信するステップと、充電対象機器から送信された充電対象機器が第２充電モードをオンにすることに同意するか否かを指示するための第１コマンドの返事コマンドを受信するステップと、充電対象機器が第２充電モードをオンにすることに同意した場合に、第２充電モードで充電対象機器を充電するステップとを含んでいてもよい。
【０２００】
好ましくは、一部の実施例において、充電対象機器と二方向通信して、第２充電モードでの第２アダプターの出力を制御するプロセスは、充電対象機器と二方向通信して、第２充電モードでの第２アダプターから出力された充電対象機器を充電するための充電電圧を決定するステップと、第２アダプターの出力電圧を調整して、第２アダプターの出力電圧が、第２充電モードでの第２アダプターから出力された充電対象機器を充電するための充電電圧と等しくなるようにするステップとを含んでいてもよい。
【０２０１】
好ましくは、一部の実施例において、充電対象機器と二方向通信して、第２充電モードでの第２アダプターから出力された充電対象機器を充電するための充電電圧を決定するステップは、第２アダプターの出力電圧と充電対象機器のバッテリの現在の電圧とがマッチングしているか否かを判定するための第２コマンドを充電対象機器に送信するステップと、充電対象機器から送信された第２アダプターの出力電圧とバッテリの現在の電圧とがマッチングしている、高めである又は低めであることを指示するための第２コマンドの返事コマンドを受信するステップとを含んでいてもよい。
【０２０２】
好ましくは、一部の実施例において、充電対象機器と二方向通信して、第２充電モードでの第２アダプターの出力を制御するプロセスは、充電対象機器と二方向通信して、第２充電モードでの第２アダプターから出力された充電対象機器を充電するための充電電流を決定するステップと、第１脈動波形の電流のピーク値を調整して、第１脈動波形の電流のピーク値が、第２充電モードでの第２アダプターから出力された充電対象機器を充電するための充電電流と等しくなるようにするステップとを含んでいてもよい。
【０２０３】
好ましくは、一部の実施例において、充電対象機器と二方向通信して、第２充電モードでの第２アダプターから出力された充電対象機器を充電するための充電電流を決定するステップは、充電対象機器の現在サポートする最大充電電流を尋ねるための第３コマンドを充電対象機器に送信するステップと、充電対象機器から送信された充電対象機器の現在サポートする最大充電電流を指示するための第３コマンドの返事コマンドを受信するステップと、充電対象機器の現在サポートする最大充電電流に基づいて、第２充電モードでの第２アダプターから出力された充電対象機器を充電するための充電電流を決定するステップとを含んでいてもよい。
【０２０４】
好ましくは、一部の実施例において、充電対象機器と二方向通信して、第２充電モードでの第２アダプターの出力を制御するプロセスは、第２充電モードで充電するプロセスにおいて、充電対象機器と二方向通信して、第１脈動波形の電流のピーク値を調整するステップを含んでいてもよい。
【０２０５】
好ましくは、一部の実施例において、充電対象機器と二方向通信して、第１脈動波形の電流のピーク値を調整するステップは、充電対象機器のバッテリの現在の電圧を判定するための第４コマンドを充電対象機器に送信するステップと、第２アダプターから送信された、バッテリの現在の電圧を指示するための第４コマンドの返事コマンドを受信するステップと、バッテリの現在の電圧に基づいて、第１脈動波形の電流のピーク値を調整するステップとを含んでいてもよい。
【０２０６】
好ましくは、一部の実施例において、第２アダプターは、充電インターフェースを備え第２アダプターは、充電インターフェースにおけるデータケーブルを介して充電対象機器と二方向通信する。
【０２０７】
好ましくは、一部の実施例において、第２アダプターは、第１充電モード及び第２充電モードを有する。第１充電モードが定電圧モードである。第２充電モードが定電流モードである。第１脈動波形の電流が第２アダプターの第２充電モードでの出力電流である。第２アダプターは、制御ユニットを備える。電力変換ユニットは、２次フィルタユニットを備える。制御ユニットが２次フィルタユニットに接続される。図２３の方法は、第１充電モードで、作動するように２次フィルタユニットを制御して、第２アダプターの出力電圧の電圧値が一定であるようにするステップと、第２充電モードで、作動を停止するように２次フィルタユニットを制御して、第２アダプターの出力電流が第１脈動波形の電流であるようにするステップとをさらに含んでいてもよい。
【０２０８】
好ましくは、一部の実施例において、第２アダプターは、第１脈動波形の電流を直接に充電対象機器のバッテリの両端に印加して、バッテリを直接充電する。
【０２０９】
好ましくは、一部の実施例において、第２アダプターは、移動端末を充電するための第２アダプターである。
【０２１０】
好ましくは、一部の実施例において、第２アダプターは、充電プロセスを制御するための制御ユニットを備え、制御ユニットがＭＣＵである。
【０２１１】
好ましくは、一部の実施例において、第２アダプターは、充電インターフェースを備え、充電インターフェースがＵＳＢインターフェースである。
【０２１２】
なお、本文における「第１アダプター」及び「第２アダプター」は、ただ、説明を便利にするためのものであって、本発明の一実施形態に係るアダプターの具体的なタイプについて限定するためのものではない。
【０２１３】
当業者は以下のことを意識することができる。本発明に開示されている実施例に合わせて説明された各例のユニット及アルゴリズムステップは、電子ハードウェア、又はコンピュータソフトウェアと電子ハードウェアとの結合によって実現することができる。これらの機能が一体ハードウェア、それともソフトウェアの方式によって実行されるのかは技術案の特定応用及び設計拘束条件によるものである。当業者は、各特定の応用に対して、説明された機能を異なる方法で実現することができ、このような実現は、本発明の範囲を超えたと考えてはいけない。
【０２１４】
当業者は、以下のことを明白に理解することができる。便利及び簡潔に説明するために、上記システムと、装置と、ユニットとの具体的な作動プロセスは、方法の一実施形態における対応するプロセスを参照することができ、ここでは詳細に説明しない。
【０２１５】
なお、本発明が提供するいくつの実施例において、開示されているシステムと、装置と、方法とは、他の方式によって実現することができる。例えば、上記装置の実施例は、概略的なものだけである。例えば、前記ユニットの区分は、ロジック機能の区分だけである。実際に実現する時に、他の区分方式を有することができる。例えば、複数のユニット又はコンポーネントは、結合することができる、又は他のシステムに集成することができ、又は一部の特徴を無視することができ、又は実行しないことができる。一方、示された又は論議された相互間の結合又は直接結合又は通信接続は、一部のインターフェースを介して、装置又はユニットの間接結合又は通信接続であっても良く、電気的、機械的又は他の形式であっても良い。
【０２１６】
分離部品として説明されたユニットは、物理的に分離していてもよいし、物理的に分離していなくてもよい。ユニットとして示された部品は、物理的なユニットであってもよいし、物理的なユニットでなくてもよい。即ち、一つの場所にあってもよいし、又は複数のネットワークユニットに分布されてもよい。必要に応じて、そのうちの一部又は全部のユニットを選択して本発明の明細書の目的を実現することができる。
【０２１７】
また、本発明の各実施例においての各機能ユニットは、一つの処理ユニットに集められても良いが、各ユニットが独立な物理存在であっても良く、二つ以上のユニットが一つのユニットに集めても良い。
【０２１８】
機能が、ソフトウェア機能のユニットの形式で実現されて、且つ独立する製品として販売又は利用される場合に、一つのコンピュータ読み取り可能な記憶媒体に記憶されても良い。このような理解に基づいて、本発明の明細書は、本質的に又は従来の技術に対する貢献の部分又は明細書の一部の発明は、ソフトウェア製品の形として示すことができる。コンピュータソフトウェア製品は、一つの記憶媒体に記憶され、一台のコンピュータ設備（個人コンピュータ、サーバ、又はネットワーク設備等であってもよい）に本発明の各実施例の方法の全部又は一部ステップを実行させる若干のコマンドを含む。記憶媒体は、ＵＳＢメモリ、ポータブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又はＣＤ等のプログラムコードを記憶できる各種の媒体を含む。
【０２１９】
以上の記載は、本発明の実施形態に過ぎなく、本発明の保護範囲はこれに限定されない。当分野に詳しいあらゆる当業者が本発明に開示された技術範囲内で容易に想到する変化又は取り替えは、本発明の保護範囲に含まれるべきである。従って、本発明の保護範囲はその特許請求の範囲に準ずるべきである。
【図１】
0006420498.tif 000002
【図２Ａ】
0006420498.tif 000003
【図２Ｂ】
0006420498.tif 000004
【図３】
0006420498.tif 000005
【図４】
0006420498.tif 000006
【図５】
0006420498.tif 000007
【図６】
0006420498.tif 000008
【図７】
0006420498.tif 000009
【図８】
0006420498.tif 000010
【図９】
0006420498.tif 000011
【図１０】
0006420498.tif 000012
【図１１】
0006420498.tif 000013
【図１２】
0006420498.tif 000014
【図１３】
0006420498.tif 000015
【図１４】
0006420498.tif 000016
【図１５】
0006420498.tif 000017
【図１６】
0006420498.tif 000018
【図１７】
0006420498.tif 000019
【図１８】
0006420498.tif 000020
【図１９Ａ】
0006420498.tif 000021
【図１９Ｂ】
0006420498.tif 000022
【図２０】
0006420498.tif 000023
【図２１】
0006420498.tif 000024
【図２２】
0006420498.tif 000025
【図２３】
0006420498.tif 000026